(57)【要約】  アクセスノードおよび端末のスケジュールされているデータ通信システムは、ボイスオーバーＩＰ（ＶｏＩＰ）のような、小さいデータ量の繰り返し発生する通信をサポートする。ＶｏＩＰのための半永久的スケジューリング（ＳＰＳ）に対するもののような、ランダムアクセス応答（ＲＡＲ）において、エラー検査をより堅牢にするために、巡回冗長検査（ＣＲＣ）のような、有効性検査フィールドに依拠するだけというよりはむしろ、認可または割当ペイロードの一部は、有効性認可または割当を決定する前の条件として確認されることができる、課された制約を持つ。これによって、動的スケジューリングまたは半永久的スケジューリングに対する、認可または割当の不正な有効性確認が回避され、半永久的スケジューリングでは、永久的なエラーがもたらされる。【選択図】図１
2011515959.tif 000002
【特許請求の範囲】
【請求項１】
スケジューリング表示を受信するための方法において、
制御チャネル上で、認可または割当を検出することと、
有効な認可または割当を示す、前記制御チャネル上で搬送されるペイロードの一部における制約を、ペイロード有効性を決定するための条件として照合することと、
前記ペイロードの一部における前記制約が照合されたという決定に応答して、前記制御チャネル上のペイロードにしたがって、送信または受信することと
を含む方法。
【請求項２】
巡回冗長検査が満足されている場合であっても、前記制約が満足されない場合、何のアクションもとらないことをさらに含む、請求項１記載の方法。
【請求項３】
前記認可または前記割当は、半永久的スケジューリングのためのものである、請求項１記載の方法。
【請求項４】
アップリンク認可フラグと、予め規定された値にセットされた新しいデータインジケータと、予め規定された値にセットされた非周期的チャネル品質インジケータと、予め規定された割合の帯域幅より少なく割り振られたリソース割振と、最も高い変調を使用しない制限された変調およびコーディングスキームとを検出することによって、前記ペイロードの一部における前記制約を照合することをさらに含む、請求項１記載の方法。
【請求項５】
アップリンク認可フラグを検出することによって、前記ペイロードの一部における前記制約を照合することをさらに含む、請求項１記載の方法。
【請求項６】
予め規定された値にセットされた新しいデータインジケータを検出することによって、前記ペイロードの一部における前記制約を照合することをさらに含む、請求項１記載の方法。
【請求項７】
予め規定された値にセットされた非周期的チャネル品質インジケータを検出することによって、前記ペイロードの一部における前記制約を照合することをさらに含む、請求項１記載の方法。
【請求項８】
予め規定された割合の帯域幅より少なく割り振られたリソース割振を検出することによって、前記ペイロードの一部における前記制約を照合することをさらに含む、請求項１記載の方法。
【請求項９】
最も高い変調を使用しない制限された変調およびコーディングスキームを検出することによって、前記ペイロードの一部における前記制約を照合することをさらに含む、請求項１記載の方法。
【請求項１０】
半永久的スケジューリングのためのコンパクトダウンリンク割当を検出することをさらに含む、請求項１記載の方法。
【請求項１１】
分散送信フラグが表示されないようにセットされていることを検出することによって、前記ペイロードの一部における前記制約を照合することをさらに含む、請求項１０記載の方法。
【請求項１２】
予め規定された割合の帯域幅より少なく割り振られたリソース割振を検出することによって、前記ペイロードの一部における前記制約を照合することをさらに含む、請求項１０記載の方法。
【請求項１３】
最も高い変調を使用しない制限された変調およびコーディングスキームを検出することによって、前記ペイロードの一部における前記制約を照合することをさらに含む、請求項１０記載の方法。
【請求項１４】
第１のハイブリッド自動再送要求（ＨＡＲＱ）送信を示す再送信シーケンス番号を検出することによって、前記ペイロードの一部における前記制約を照合することをさらに含む、請求項１０記載の方法。
【請求項１５】
分散送信フラグが表示されないようにセットされていることと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とを検出することによって、前記ペイロードの一部における前記制約を照合することをさらに含む、請求項１０記載の方法。
【請求項１６】
単数入力複数出力（ＳＩＭＯ）半永久的スケジューリングのためのダウンリンク割当を検出することをさらに含む、請求項１記載の方法。
【請求項１７】
分散されていないことを示している分散送信フラグを検出することによって、前記ペイロードの一部における前記制約を照合することをさらに含む、請求項１６記載の方法。
【請求項１８】
予め規定された割合の帯域幅より少なく割り振られたリソース割振を検出することによって、前記ペイロードの一部における前記制約を照合することをさらに含む、請求項１６記載の方法。
【請求項１９】
最も高い変調を使用しない制限された変調およびコーディングスキームを検出することによって、前記ペイロードの一部における前記制約を照合することをさらに含む、請求項１６記載の方法。
【請求項２０】
第１のハイブリッド自動再送要求（ＨＡＲＱ）送信を示す再送信シーケンス番号を検出することによって、前記ペイロードの一部における前記制約を照合することをさらに含む、請求項１６記載の方法。
【請求項２１】
分散されていないことを示している分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とを検出することによって、前記ペイロードの一部における前記制約を照合することをさらに含む、請求項１６記載の方法。
【請求項２２】
ＭＩＭＯ半永久的スケジューリングのための表示を検出することによって、前記ペイロードの一部における有効性を決定することをさらに含む、請求項２１記載の方法。
【請求項２３】
分散されていないことを示している分散送信フラグを検出することによって、前記ペイロードの一部における前記制約を照合することをさらに含む、請求項２１記載の方法。
【請求項２４】
予め規定された割合の帯域幅より少なく割り振られたリソース割振を検出することによって、前記ペイロードの一部における前記制約を照合することをさらに含む、請求項２１記載の方法。
【請求項２５】
最も高い変調を使用しない、２つのトランスポートブロックのそれぞれに対する制限された変調およびコーディングスキームを検出することによって、前記ペイロードの一部における前記制約を照合することをさらに含む、請求項２１記載の方法。
【請求項２６】
第１のハイブリッド自動再送要求（ＨＡＲＱ）送信を示す再送信シーケンス番号を検出することによって、前記ペイロードの一部における前記制約を照合することをさらに含む、請求項２１記載の方法。
【請求項２７】
分散していないことを示す分散送信フラグと、予め規定された割合の帯域幅より少なく割り振られたリソース割振と、最も高い変調を使用しない、２つのトランスポートブロックのそれぞれに対する制限された変調およびコーディングスキームと、第１のハイブリッド自動再送要求（ＨＡＲＱ）送信を示す再送信シーケンス番号とを検出することによって、前記ペイロードの一部における前記制約を照合することをさらに含む、請求項２１記載の方法。
【請求項２８】
スケジューリング表示を受信する少なくとも１つのプロセッサにおいて、
制御チャネル上で、認可または割当を検出する第１のモジュールと、
有効な認可または割当を示す、前記制御チャネル上で搬送されるペイロードの一部における制約を、ペイロード有効性を決定するための条件として照合する第２のモジュールと、
前記ペイロードの一部における前記制約が照合されたという決定に応答して、前記制御チャネル上のペイロードにしたがって、送信または受信する第３のモジュールと
を具備するプロセッサ。
【請求項２９】
コンピュータ読取可能記憶媒体を具備する、スケジューリング表示を受信するためのコンピュータプログラム製品において、
前記コンピュータ読取可能記憶媒体は、
コンピュータに、制御チャネル上で、認可または割当を検出させるための第１の組のコードと、
前記コンピュータに、有効な認可または割当を示す、前記制御チャネル上で搬送されるペイロードの一部における制約を、ペイロード有効性を決定するための条件として照合させるための第２の組のコードと、
前記コンピュータに、前記ペイロードの一部における前記制約が照合されたという決定に応答して、前記制御チャネル上のペイロードにしたがって、送信または受信させるための第３の組のコードと
を備えるコンピュータプログラム製品。
【請求項３０】
スケジューリング表示を受信する装置において、
制御チャネル上で、認可または割当を検出する手段と、
有効な認可または割当を示す、前記制御チャネル上で搬送されるペイロードの一部における制約を、ペイロード有効性を決定するための条件として照合する手段と、
前記ペイロードの一部における前記制約が照合されたという決定に応答して、前記制御チャネル上のペイロードにしたがって、送信または受信する手段と
を具備する装置。
【請求項３１】
スケジューリング表示を受信する装置において、
制御チャネル上で、認可または割当を検出する受信機と、
有効な認可または割当を示す、前記制御チャネル上で搬送されるペイロードの一部における制約を、ペイロード有効性を決定するための条件として照合するコンピューティングプラットフォームと、
前記ペイロードの一部における前記制約が照合されたという決定に応答して、前記制御チャネル上のペイロードにしたがって、送信または受信する送信機または受信機と
を具備する装置。
【請求項３２】
巡回冗長検査が満足されている場合であっても、前記制約が満足されない場合、何のアクションもとらない前記コンピューティングプラットフォームをさらに備える、請求項３１記載の装置。
【請求項３３】
半永久的スケジューリング認可または割当を検出する受信機をさらに備える、請求項３１記載の装置。
【請求項３４】
アップリンク認可フラグと、予め規定された値にセットされた新しいデータインジケータと、予め規定された値にセットされた非周期的チャネル品質インジケータと、予め規定された割合の帯域幅より少なく割り振られたリソース割振と、最も高い変調を使用しない制限された変調およびコーディングスキームとを検出することによって、前記ペイロードの一部における前記制約を照合する前記コンピューティングプラットフォームをさらに備える、請求項３１記載の装置。
【請求項３５】
半永久的スケジューリングのためのコンパクトダウンリンク割当を検出する前記受信機をさらに備える、請求項３１記載の装置。
【請求項３６】
コンパクトダウンリンクＳＰＳのためのフォーマット表示と、分散送信フラグが表示されないようにセットされていることと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とを検出することによって、前記ペイロードの一部における前記制約を照合する前記コンピューティングプラットフォームをさらに備える、請求項３１記載の装置。
【請求項３７】
単数入力複数出力（ＳＩＭＯ）半永久的スケジューリングのためのダウンリンク割当を検出する前記受信機をさらに備える、請求項３１記載の装置。
【請求項３８】
分散されていないことを示している分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とを検出することによって、前記ペイロードの一部における前記制約を照合する前記コンピューティングプラットフォームをさらに備える、請求項３７記載の装置。
【請求項３９】
複数入力複数出力（ＭＩＭＯ）半永久的スケジューリングのためのダウンリンク割当を検出する前記受信機をさらに備える、請求項３１記載の装置。
【請求項４０】
ＭＩＭＯ半永久的スケジューリングのための表示を検出することによって、前記ペイロードの一部の無効性を決定する前記コンピューティングプラットフォームをさらに備える、請求項３９記載の装置。
【請求項４１】
分散していないことを示す分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とを検出することによって、前記ペイロードの一部における前記制約を照合する前記コンピューティングプラットフォームをさらに備える、請求項３９記載の装置。
【請求項４２】
スケジューリング表示を送信するための方法において、
認可または割当を示すために制御チャネルペイロードをエンコードすることと、
有効な認可または割当を示す、前記制御チャネル上で搬送されるペイロードの一部に、ペイロード有効性を決定するための条件としての制約を課すことと、
前記制御チャネル上のペイロードを有する認可または割当を送信することと
を含む方法。
【請求項４３】
巡回冗長検査が満足されている場合に、何のアクションもとられることのないように、前記制約を課すことをさらに含む、請求項４２記載の方法。
【請求項４４】
前記認可または前記割当は、半永久的スケジューリングのためのものである、請求項４２記載の方法。
【請求項４５】
アップリンク認可フラグと、予め規定された値にセットされた新しいデータインジケータと、予め規定された値にセットされた非周期的チャネル品質インジケータと、予め規定された割合の帯域幅より少なく割り振られたリソース割振と、最も高い変調を使用しない制限された変調およびコーディングスキームとをセットすることによって、前記ペイロードの一部に前記制約を課すことをさらに含む、請求項４２記載の方法。
【請求項４６】
半永久的スケジューリングのために、コンパクトダウンリンク割当をセットすることをさらに含む、請求項４２記載の方法。
【請求項４７】
コンパクトダウンリンクＳＰＳのためのフォーマット表示と、表示されないようにセットされている分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とをセットすることによって、前記ペイロードの一部に前記制約を課すことをさらに含む、請求項４２記載の方法。
【請求項４８】
単数入力複数出力（ＳＩＭＯ）半永久的スケジューリングのためのダウンリンク割当をセットすることをさらに含む、請求項４２記載の方法。
【請求項４９】
分散していないことを示す分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とをセットすることによって、前記ペイロードの一部に前記制約を課すことをさらに含む、請求項４８記載の方法。
【請求項５０】
複数入力複数出力（ＭＩＭＯ）半永久的スケジューリングのためのダウンリンク割当をセットすることをさらに含む、請求項４２記載の方法。
【請求項５１】
ＭＩＭＯ半永久的スケジューリングのための表示をセットすることによって、前記ペイロードの一部に前記制約を課すことをさらに含む、請求項５０記載の方法。
【請求項５２】
分散していないことを示す分散送信フラグと、予め規定された割合の帯域幅より少なく割り振られたリソース割振と、最も高い変調を使用しない、２つのトランスポートブロックのそれぞれに対する制限された変調およびコーディングスキームと、第１のハイブリッド自動再送要求（ＨＡＲＱ）送信を示す再送信シーケンス番号とをセットすることによって、前記ペイロードの一部に前記制約を課すことをさらに含む、請求項５０記載の方法。
【請求項５３】
スケジューリング表示を送信する少なくとも１つのプロセッサにおいて、
認可または割当を示すために制御チャネルペイロードをエンコードする第１のモジュールと、
有効な認可または割当を示す、前記制御チャネル上で搬送されるペイロードの一部に、ペイロード有効性を決定するための条件としての制約を課す第２のモジュールと、
前記制御チャネル上のペイロードを有する認可または割当を送信する第３のモジュールと
を具備するプロセッサ。
【請求項５４】
コンピュータ読取可能記憶媒体を具備する、スケジューリング表示を送信するためのコンピュータプログラム製品において、
コンピュータに、認可または割当を示すために制御チャネルペイロードをエンコードさせるための第１の組のコードと、
前記コンピュータに、有効な認可または割当を示す前記制御チャネル上で搬送されるペイロードの一部に、ペイロード有効性を決定するための条件としての制約を課させるための第２の組のコードと、
前記コンピュータに、前記制御チャネル上のペイロードを有する認可または割当を送信させるための第３の組のコードと
を含むコンピュータプログラム製品。
【請求項５５】
スケジューリング表示を送信する装置において、
認可または割当を示すために制御チャネルペイロードをエンコードする手段と、
有効な認可または割当を示す前記制御チャネル上で搬送されるペイロードの一部に、ペイロード有効性を決定するための条件としての制約を課す手段と、
前記制御チャネル上のペイロードを有する認可または割当を送信する手段と
を具備する装置。
【請求項５６】
スケジューリング表示を送信する装置において、
認可または割当を示すために制御チャネルペイロードをエンコードするコンピューティングプラットフォームと、
有効な認可または割当を示す前記制御チャネル上で搬送されるペイロードの一部に、ペイロード有効性を決定するための条件としての制約を課す前記コンピューティングプラットフォームと、
前記制御チャネル上のペイロードを有する認可または割当を送信する送信機と
を具備する装置。
【請求項５７】
巡回冗長検査が満足されている場合に、何のアクションもとられることのないように、前記制約を課す前記コンピューティングプラットフォームをさらに備える、請求項５６記載の装置。
【請求項５８】
前記認可または前記割当は、半永久的スケジューリングのためのものである、請求項５６記載の装置。
【請求項５９】
アップリンク認可フラグと、予め規定された値にセットされた新しいデータインジケータと、予め規定された値にセットされた非周期的チャネル品質インジケータと、予め規定された割合の帯域幅より少なく割り振られたリソース割振と、最も高い変調を使用しない制限された変調およびコーディングスキームとをセットすることによって、前記ペイロードの一部に前記制約を課す前記コンピューティングプラットフォームをさらに備える、請求項５６記載の装置。
【請求項６０】
半永久的スケジューリングのために、コンパクトダウンリンク割当をセットする前記コンピューティングプラットフォームをさらに備える、請求項５６記載の装置。
【請求項６１】
コンパクトダウンリンクＳＰＳのためのフォーマット表示と、表示されないようにセットされている分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とをセットすることによって、前記ペイロードの一部に前記制約を課す前記コンピューティングプラットフォームをさらに備える、請求項５６記載の装置。
【請求項６２】
単数入力複数出力（ＳＩＭＯ）半永久的スケジューリングのためのダウンリンク割当をセットする前記コンピューティングプラットフォームをさらに備える、請求項５６記載の装置。
【請求項６３】
分散していないことを示す分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とをセットすることによって、前記ペイロードの一部に前記制約を課す前記コンピューティングプラットフォームをさらに備える、請求項６２記載の装置。
【請求項６４】
複数入力複数出力（ＭＩＭＯ）半永久的スケジューリングのためのダウンリンク割当をセットする前記コンピューティングプラットフォームをさらに備える、請求項５６記載の装置。
【請求項６５】
ＭＩＭＯ半永久的スケジューリングのための表示をセットすることによって、前記ペイロードの一部に前記制約を課す前記コンピューティングプラットフォームをさらに備える、請求項６４記載の装置。
【請求項６６】
分散していないことを示す分散送信フラグと、予め規定された割合の帯域幅より少なく割り振られたリソース割振と、最も高い変調を使用しない、２つのトランスポートブロックのそれぞれに対する制限された変調およびコーディングスキームと、第１のハイブリッド自動再送要求（ＨＡＲＱ）送信を示す再送信シーケンス番号とをセットすることによって、前記ペイロードの一部に前記制約を課す前記コンピューティングプラットフォームをさらに備える、請求項６４記載の装置。
【発明の詳細な説明】
【米国法第３５部第１１９条に基づく優先権の主張】
【０００１】
本出願は、２００８年３月１９日に出願され、“間違ったＣＲＣマッチングを減少させるための、エラーチェックの二重レイヤを使用するための方法および装置”と題されている米国仮出願シリアル番号第６１／０３８，０３７号に対する優先権を主張し、これは、本出願譲受人に譲渡され、ここで参照により組み込まれている。
【発明の分野】
【０００２】
ここで説明する、例示的であって、制限的ではない観点は、一般的に、ワイヤレス通信システム、方法、コンピュータプログラム製品、および、デバイスに関連し、より詳細には、アップリンクチャネル上での半永久的なスケジューリングのための技術に関連する。
【背景】
【０００３】
ワイヤレス通信システムは、音声、データ等のようなさまざまな通信コンテンツを提供するように広く配備されている。これらのシステムは、利用可能なシステムリソース（例えば、帯域幅および送信電力）を共有することによって、複数のユーザとの通信をサポートすることができる多元接続システムであってもよい。そのような多元接続システムの例は、コード分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムとを含む。
【０００４】
一般的に、ワイヤレス多元接続通信システムは、複数のワイヤレス端末に対する通信を同時にサポートできる。各端末は、フォワードリンクおよびリバースリンク上の通信によって、１つ以上の基地局と通信する。フォワードリンク（すなわち、ダウンリンク）は、基地局から端末への通信リンクを指し、リバースリンク（すなわち、アップリンク）は、端末から基地局への通信リンクを指す。この通信リンクは、単数入力単数出力（ＳＩＳＯ）、複数入力単数出力（ＭＩＳＯ）、または、複数入力複数出力（ＭＩＭＯ）システムによって確立されてもよい。
【０００５】
ユニバーサル移動体電気通信システム（ＵＭＴＳ）は、第３世代（３Ｇ）セル電話機技術の１つである。ＵＭＴＳ地上無線接続ネットワークに対する短縮形、ＵＴＲＡＮは、ＵＭＴＳ無線接続ネットワークを形成する、ノードＢのものと、無線ネットワーク制御装置に対する集合的用語である。この通信ネットワークは、リアルタイム回線交換から、ＩＰベースのパケット交換まで、多くのトラフィックタイプを搬送する。ＵＴＲＡＮは、ＵＥ（ユーザ装置）と、コアネットワークとの間の接続性を可能にする。ＵＴＲＡＮは、基地局を含み、これは、ノードＢ、および、無線ネットワーク制御装置（ＲＮＣ）と呼ばれる。ＲＮＣは、１つ以上のノードＢに対する制御機能を提供する。ノードＢおよびＲＮＣは、同一のデバイスであってもよいが、典型的な実施形態は、複数のノードＢを担当し、中央オフィス中に位置する、ある個別のＲＮＣを持つ。これらが、物理的に個別である必要はないという事実にもかかわらず、Ｉｕｂとして知られる、これらの間の論理的インターフェースがある。ＲＮＣと、その対応するノードＢは、無線ネットワークサブシステム（ＲＮＳ）と呼ばれる。ＵＴＲＡＮ中に存在する１つより多いＲＮＳがあってもよい。
【０００６】
３ＧＰＰ長期間発展（ＬＴＥ）は、ＵＭＴＳ移動体電話機標準規格を改良して、将来の要求と協調するための、第３世代パートナーシッププロジェクト（３ＧＰＰ）内のあるプロジェクトに対して与えられた名称である。ゴールは、効率性を改善することと、費用を低下させることと、サービスを改善することと、新しいスペクトル機会の使用を行うことと、他のオープン標準規格とのよりよい統合とを含む。ＬＴＥシステムは、一連の仕様、進化ＵＴＲＡ（ＥＵＴＲＡ）および、進化ＵＴＲＡＮ（ＥＵＴＲＡＮ）において記述されている。
【０００７】
半永久的スケジューリング（ＳＰＳ）は、ワイヤレス通信システム中の、定期的トラフィックに対してリソースを効率的に割り当てる１組の技術であり、システム容量を改善するために、可能な限り小さいオーバーヘッドを有するリソース割当をサポートする。
【０００８】
現在の通信システムは、すべての物理的ダウンリンク制御チャネル（ＰＤＣＣＨ）フォーマット上で、１６ビット巡回冗長検査（ＣＲＣ）を使用する。ダウンリンク（ＤＬ）、ＤＬコンパクト、ＵＬ、および、電力制御を含む、ＰＤＣＣＨのためのいくつかのフォーマットが存在する。さらに、さまざまなグループ分けを行うことができる。結果として、ＵＥは、サブフレーム毎のＰＤＣＣＨ毎に、約４０回のブラインドデコードを実行しなければならない。デコーディングが行われた後に、ＵＥは、デコードされたビット上で、ＣＲＣ（Ｘ−ＣＲＣ）を計算する。Ｘ−ＣＲＣは、ＰＤＣＣＨ中で表示されたＣＲＣに対して検査される。一致がある場合、ＰＤＣＣＨは、そのＵＥに対するものであると考えられ、そのコンテンツが解釈され、適切なアクションが実行され、すなわち、送信または受信のいずれかが発生する。
【０００９】
間違ったアラームは、Ｘ−ＣＲＣが、ＣＲＣに一致するときに発生するが、そのＰＤＣＣＨは、そのＵＥに対するものであることを意味していない。ＵＥが指示されるようなアクションを実行していたとしても、ＰＤＣＣＨペイロードは、このインスタンスにおいて、ランダムビットを広く含むとして考えられることができる。ＰＤＣＣＨビットがランダムであると仮定すると、間違ったアラームは、平均して、ＣＲＣチェックが行われる２16回毎に発生する。ワーストケースにおいては、ＵＥは、サブフレーム毎に、４０回のブラインドデコードを実行し、１秒毎に、１０００回のサブフレームがある。そのケースでは、フォルスアラームは、そのＵＥに対して、２16回／（４０＊１０００）＝１．６秒毎に発生する。
【００１０】
ダイナミックスケジューリングが使用されるとき、フォルスアラームの結果は、１組のＨＡＲＱ（ハイブリッド自動再送要求）送信、および、可能な次の再送信に制限されている。したがって、結果が制限されている。
【００１１】
しかしながら、ＵＥが、半永久的スケジューリング（ＳＰＳ）に対して構成されているとき、特に、アップリンク上で、結果がより重篤であるかもしれない。進化ベースノード（ｅＮＢ）は、ＳＰＳ指示を有するＰＤＣＣＨを使用して、ＳＰＳを開始する。ＰＤＣＣＨ中で表示される認可は、次に、取り消されるまで、担当間隔毎に繰り返すことになる。典型的な担当間隔は、ＶｏＩＰに対して２０ミリ秒である。
【概要】
【００１２】
以下では、開示する観点のうちのいくつかの観点の基本的な理解をもたらすために、簡潔化した要約を提示する。この要約は、広範囲な概観ではなく、キーとなるエレメント、または、重要なエレメントを識別することを意図しておらず、あるいは、このような観点の範囲を描写することを意図していない。この目的は、以下に提示するより詳細な説明に対する前置きとして、簡潔な形態で記述される特徴のいくつかの概念を提示することである。
【００１３】
１つ以上の観点と、その対応する開示にしたがって、さまざまな観点を、ユーザ装置（ＵＥ）が、複数のエラーチェックを実行して、物理ダウンリンク制御チャネル（ＰＤＣＣＨ）上でデータを処理するときに、データが損なわれていたとしても、ＣＲＣ（巡回冗長検査）を通過することに起因する間違ったアラームを減少させるような、基地ノードによるエンコーディングに関連して記述する。ＰＤＣＣＨを使用して、ＵＥに対する認可を示すことができる。この記述において、認可は、ダウンリンクチャネル上の受信のためのものであってもよく、または、アップリンクチャネル上の送信のためのものであってもよい。
【００１４】
１つの観点では、スケジューリング表示を受信するための方法が提供される。制御チャネル上で、認可または割当が検出される。ペイロード有効性を決定するための条件として、有効な認可または割当を示す制御チャネル上で搬送されるペイロードの一部における制約が照合される。ペイロードの一部における制約が照合されたという決定に応答して、制御チャネル上のペイロードにしたがって、送信または受信が実行される。
【００１５】
別の観点では、スケジューリング表示を受信する少なくとも１つのプロセッサが提供される。第１のモジュールは、制御チャネル上で、認可または割当を検出する。第２のモジュールは、ペイロード有効性を決定するための条件として、有効な認可または割当を示す制御チャネル上で搬送されるペイロードの一部における制約を照合する。第３のモジュールは、ペイロードの一部における制約が照合されたという決定に応答して、制御チャネル上のペイロードにしたがって、送信または受信する。
【００１６】
追加的な観点では、スケジューリング表示を受信するためのコンピュータプログラム製品が提供される。コンピュータ読取可能記憶媒体は、コンピュータに、制御チャネル上で、認可または割当を検出させるための第１の組のコードを含む。第２の組のコードは、コンピュータに、ペイロード有効性を決定するための条件として、有効な認可または割当を示す制御チャネル上で搬送されるペイロードの一部における制約を照合させる。第３の組のコードは、コンピュータに、ペイロードの一部における制約が照合されたという決定に応答して、制御チャネル上のペイロードにしたがって、送信または受信させる。
【００１７】
別の追加的な観点では、スケジューリング表示を受信する装置が提供される。制御チャネル上で、認可または割当を検出するための手段が提供される。ペイロード有効性を決定するための条件として、有効な認可または割当を示す制御チャネル上で搬送されるペイロードの一部における制約を照合するための手段が提供される。ペイロードの一部における制約が照合されたという決定に応答して、制御チャネル上のペイロードにしたがって、送信または受信するための手段が提供される。
【００１８】
さらなる観点では、スケジューリング表示を受信する装置が提供される。受信機は、制御チャネル上で、認可または割当を検出する。コンピューティングプラットフォームは、ペイロード有効性を決定するための条件として、有効な認可または割当を示す制御チャネル上で搬送されるペイロードの一部における制約を照合する。送信機または受信機は、ペイロードの一部における制約が照合されたという決定に応答して、制御チャネル上のペイロードにしたがって、送信または受信する。
【００１９】
依然としてある観点では、スケジューリング表示を送信するための方法が提供される。認可または割当を示すために制御チャネルペイロードがエンコードされる。ペイロード有効性を決定するための条件として、有効な認可または割当を示す制御チャネル上で搬送されるペイロードの一部に制約が課される。制御チャネル上のペイロードを有する認可または割当が送信される。
【００２０】
依然として別の観点では、スケジューリング表示を送信する少なくとも１つのプロセッサが提供される。第１のモジュールは、認可または割当を示すために制御チャネルペイロードをエンコードする。第２のモジュールは、ペイロード有効性を決定するための条件として、有効な認可または割当を示す制御チャネル上で搬送されるペイロードの一部に制約を課す。第３のモジュールは、制御チャネル上のペイロードを有する認可または割当を送信する。
【００２１】
依然として追加的な観点では、スケジューリング表示を送信するためのコンピュータプログラム製品が提供される。コンピュータ読取可能記憶媒体は、コンピュータに、認可または割当を示すために制御チャネルペイロードをエンコードさせるための第１の組のコードを含む。第２の組のコードは、コンピュータに、ペイロード有効性を決定するための条件として、有効な認可または割当を示す制御チャネル上で搬送されるペイロードの一部に制約を課させる。第３の組のコードは、コンピュータに、制御チャネル上のペイロードを有する認可または割当を送信させる。
【００２２】
依然として別の追加的な観点では、スケジューリング表示を送信する装置が提供される。認可または割当を示すために制御チャネルペイロードをエンコードするための手段が提供される。ペイロード有効性を決定するための条件として、有効な認可または割当を示す制御チャネル上で搬送されるペイロードの一部に制約を課すための手段が提供される。制御チャネル上のペイロードを有する認可または割当を送信するための手段が提供される。
【００２３】
依然としてさらなる観点では、スケジューリング表示を送信する装置が提供される。コンピューティングプラットフォームは、認可または割当を示すために制御チャネルペイロードをエンコードする。コンピューティングプラットフォームは、ペイロード有効性を決定するための条件として、有効な認可または割当を示す制御チャネル上で搬送されるペイロードの一部に制約を課す。送信機は、制御チャネル上のペイロードを有する認可または割当を送信する。
【００２４】
前述の、および、関連した目的を達成するために、１つ以上の観点は、以下に完全に記述し、また、特許請求の範囲において、特に指摘する特徴を含む。以下の説明と添付の図面は、ある例示的な観点において述べ、観点の原則が用いられてもよいさまざまな方法のうちのいくつかもののだけを示している。他の利点および新規な特徴が、図面とともに考慮するときに、以下の詳細な説明から明らかになり、開示した観点は、このような観点、および、これらの均等物のすべてを含むことを意図している。
【図面の簡単な説明】
【００２５】
本開示の特徴、性質、および、利点は、同じ参照番号が、全体を通して対応するものを指す、図面を考慮するときに、以下で述べる詳細な説明から、より明らかになるだろう。
【図１】図１は、拡張された巡回冗長検査（“仮想”ＣＲＣ）を用いる通信システムのブロック図を示す。
【図２】図２は、少なくとも１つの無線アクセスネットワークユーザ装置の間のランダムアクセス応答能力に対する、拡張された巡回冗長検査を組み込む、進化ユニバーサル移動体電気通信システム（ＵＭＴＳ）地上無線アクセスネットワーク（Ｅ−ＵＴＲＡＮ）を含む、通信システムのブロック図を示す。
【図３】図３は、ランダムアクセス応答において、拡張された巡回冗長検査をサポートする、レガシー汎用パケット無線サービス（ＧＰＲＳ）コアおよび進化パケットコアを組み込む、通信システムの図を示す。
【図４】図４は、ランダムアクセス応答における拡張された巡回冗長検査に対する１つの観点にしたがった、多元接続ワイヤレス通信システムの図を示す。
【図５】図５は、ランダムアクセス応答における拡張された巡回冗長検査をサポートするための通信システムの概念的ブロック図を示す。
【図６】図６は、ＳＰＳに対するＬＴＥ（長期間進化）ＰＤＣＣＨにおける、拡張されたＣＲＣ（巡回冗長検査）を送信するための方法のフロー図を示す。
【図７】図７は、ＵＥにおいて、ＳＰＳに対するＬＴＥ  ＰＤＣＣＨ（物理的ダウンリンク制御チャネル）における、拡張されたＣＲＣを受信するための方法７００のフロー図を示す。
【図８】図８は、アップリンク（ＵＬ）ＳＰＳ認可に対する１組の条件（制約規則）を含む方法を示す。
【図９】図９は、ＵＥにおけるＵＬ  ＳＰＳ認可に対する制約規則を評価するための方法を図示する。
【図１０】図１０は、ダウンリンク（ＤＬ）コンパクトに対して、進化基地ノード（ｅＮＢ）によって使用されている１組の規則を含む方法を示す。
【図１１】図１１において、方法１１００は、ＳＩＭＯ（単数入力複数出力）ＤＬに対して、ｅＮＢによって使用される、例示的な１組の制約規則を利用する。
【図１２】図１２は、ＭＩＭＯ（複数入力複数出力）ＤＬに対して、ｅＮＢによって使用される、例示的な１組の制約規則を含む方法を示す。
【図１３】図１３は、ランダムアクセス応答における拡張された巡回冗長検査を受信するためのモジュールを有するアクセス端末のブロック図を図示する。
【図１４】図１４は、ランダムアクセス応答における拡張された巡回冗長検査を送信するためのモジュールを有するアクセス端末のブロック図を図示する。
【詳細な説明】
【００２６】
アクセスノードおよび端末のスケジュールされているデータ通信システムは、ボイスオーバーＩＰ（ＶｏＩＰ）のような、小さいデータ量の繰り返し発生する通信をサポートする。ＶｏＩＰのための半永久的スケジューリング（ＳＰＳ）に対するもののような、ランダムアクセス応答（ＲＡＲ）において、エラー検査をより堅牢にするために、巡回冗長検査（ＣＲＣ）のような、有効性検査フィールドに依拠するだけというよりはむしろ、認可または割当ペイロードの一部は、有効性認可または割当を決定する前の条件として確認されることができる、課された制約を持つ。これによって、動的スケジューリングまたは半永久的スケジューリングに対する、認可または割当の正しくない有効性確認が回避され、ここで、半永久的スケジューリングでは、永久的なエラーがもたらされる。有効性確認は、ペイロードの一部に実行されるので、ペイロードの制約された部分はまた、‘仮想ＣＲＣ’としても呼ばれてもよい。
【００２７】
本出願によって使用されるように、用語“コンポーネント”、“モジュール”、“システム”、および、類似物は、ハードウェア、ハードウェアとソフトウェアの組み合わせ、ソフトウェア、または、実行中のソフトウェアを指すことを意図している。例えば、コンポーネントは、これらに制限されるわけではないが、プロセッサ上で実行されているプロセス、プロセッサ、オブジェクト、実行可能命令、実行スレッド、プログラム、および／または、コンピュータであってもよい。例示として、サーバー上で実行されているアプリケーションと、サーバーとの両方が、コンポーネントであってもよい。１つ以上のコンポーネントは、実行のプロセスおよび／またはスレッド内に存在していてもよく、コンポーネントは、１つのコンピュータ上に位置していてもよく、および／または、２つ以上のコンピュータの間で分散されていてもよい。
【００２８】
用語“例示的な”を使用して、例、例示、または、図解として働くことを意味する。ここで“例示的”であるとして説明する任意の観点および設計は、必ずしも、他の観点または設計よりも好ましい、または、有利であるとして解釈する必要はない。
【００２９】
さらに、１つ以上の変形が、標準プログラミングおよび／またはエンジニアリング技術を使用する方法、装置、または、商品として実現されて、ソフトウェア、ファームウェア、ハードウェは、または、これらの組み合わせを生み出して、開示する観点を実現するようにコンピュータを制御してもよい。ここで使用される用語“商品”（または、代替では、“コンピュータプログラム製品”）は、何らかのコンピュータ読取可能媒体からアクセス可能なコンピュータプログラムを含むことを意図している。例えば、コンピュータ読取可能媒体は、これらに制限される訳ではないが、磁気記憶デバイス（例えば、ハードディスク、フロッピー（登録商標）ディスク、磁気ストライプ…）、光学ディスク（例えば、コンパクトディスク（ＣＤ）、デジタル汎用ディスク（ＤＶＤ）…）、スマートカード、および、フラッシュメモリデバイス（例えば、カード、スティック）を含んでもよい。さらに、搬送波を用いて、電子メールを送受信する際に使用されるもののような、また、インターネットまたはローカルエリアネットワーク（ＬＡＮ）のようなネットワークにアクセスする際に使用されるもののような、コンピュータ読取可能電子的データを、搬送してもよいことを理解すべきである。もちろん、当業者は、開示する観点の範囲から逸脱することなく、この構成に対する数多くの修正を行ってもよいことを理解するだろう。
【００３０】
さまざまな観点を、多数のコンポーネント、モジュール、および、類似物を含んでもよいシステムに関して提示することにする。さまざまなシステムは、図面に関連して記述したものに対して、追加的コンポーネント、モジュール等を含んでいてもよく、および／または、これらのコンポーネント、モジュール等のすべてを含んでいなくてもよいことを理解および認識すべきである。これらのアプローチの組み合わせもまた、使用されてもよい。ここで開示するさまざまな観点は、タッチスクリーンディスプレイ技術、および／または、マウスとキーボードタイプのインターフェースを利用するデバイスを含む電子的デバイス上で実行されることができる。このようなデバイスの例は、（デスクトップおよびモバイルの）コンピュータ、スマートフォン、パーソナルデジタルアシスタント（ＰＤＡ）、および、ワイヤレスヤードとワイヤレスの両方の、他の電子的デバイスを含む。
【００３１】
ここで、さまざまな観点を、図面を参照して記述する。以下の記述では、説明の目的で、１つ以上の観点の完全な理解を提供するために、さまざまな特定の詳細を述べる。しかしながら、さまざまな観点は、これらの特定の詳細なしで実施されてもよいことが明らかであるだろう。他の事例では、これらの観点の記述を容易にするために、よく知られている構造およびデバイスを、ブロック図の形態で示した。
【００３２】
最初に、図１を参照して、アクセスノード（ＡＮ）１０２の通信システム１００は、無線上での（ＯＴＡ）リンク１０４を介して、ユーザ装置（ＵＥ）としても呼ばれる、アクセス端末（ＡＴ）１０６と、動的スケジューリングのために、ダウンリンク（ＤＬ）１０８と、アップリンク（ＵＬ）１１０の両方上で、完全にスケジュールされた方法で通信し、後者を、動的にスケジュールされているアップリンク１１２として特に示した。ＡＴ１０６は、有利なことに、ＳＰＳアップリンク１１４上で、半永久的スケジューリング（ＳＰＳ）とともに、ＵＬ１１０上で送信できる。ＶｏＩＰ通信のための会話スパートを予期して（例えば、ランダムアクセスチャネル（ＲＡＣＨ）１１６上でのＳＰＳ要求）、例えば、ＡＮ１０２は、物理ダウンリンク制御チャネル（ＰＤＣＣＨ）１２０上のメッセージ１１８の一部として、ＳＰＳの表示（例えば、ＤＬ割当、ＵＬ認可）を提示できる。メッセージ１１８は、１６ビットＣＲＣ（巡回冗長検査）１２４として示されるチェックフィールド、および、ＰＤＣＣＨペイロード１２２およびを含む。
【００３３】
ＶｏＩＰのような、いくつかのタイプの通信は、半永久的スケジューリングに適している。再帰的性質であるが、送信されるデータ量が比較的小さいので、アップリンク送信の完全なスケジューリングのオーバーヘッドを緩和することを保証する。好ましくは、ＡＮ１０２は、認可／割当エンコーダ１２６を利用し、ＡＴ１０６は、従来の動的もしくはＳＰＳスケジューリングに対して使用されるものより堅牢な、検査エンコーディング／デコーディングを組み込む、認可／割当デコーダ１２８を利用する。特に、拡張検査１３０は、ＣＲＣ１２４に基づいて、有効性を決定するのに先行する条件に関係して、または、有効性を決定するのに先行する条件として、制約１３２を、ＰＤＣＣＨペイロード１２２に適用することによって達成される。これによって、間違って陽性となる有効性決定の確率は、かなり減少される。
【００３４】
本開示の利点とともに、ここで記述した例示的な解釈は、アップリンクチャネル上で、および、半永久的スケジューリングに対して特定の利点を備える、ダウンリンク制御チャネル上での認可または割当を利用する。しかしながら、本発明の観点にしたがった適用は、アップリンク上で受信されるメッセージに対する有効性検査に対して適用でき、また、動的スケジューリングに対しても適用できる。
【００３５】
図２において、１つの観点では、通信システム２００は、進化基地ノード（ｅノードＢ）２１６と、ユーザ装置（ＵＥ）デバイス２１８として示す、少なくとも１つの無線アクセスネットワーク（ＲＡＮ）の間の、ランダムアクセス応答能力２１４に対する拡張巡回冗長検査を組み込む、進化ユニバーサル移動体電気通信システム（ＵＭＴＳ）地上無線アクセスネットワーク（Ｅ−ＵＴＲＡＮ）２１２を含む。例示的な解釈において、ＵＥデバイス２１８は、アップリンク（ＵＬ）２２２上での通信のために、ダウンリンク（ＤＬ）２２０を介して、動的にスケジュールされるとして示した。Ｅ−ＴＲＡＮ２１２はまた、ｅノードＢ２２６、２２８もまた含む。
【００３６】
ｅノードＢ２１６、２２６、２２８は、ＵＥ２１８に対して、ＵＭＴＳ地上無線アクセス（Ｅ−ＵＴＲＡ）ユーザプレーンと、制御プレーン（ＲＲＣ）プロトコル終端を提供する。ユーザプレーンは、３ＧＰＰ（第３世代パートナーシッププロジェクト）パケットデータコンバージェンスプロトコル（ＰＤＣＰ）、無線リンク制御（ＲＬＣ）、媒体アクセス制御（ＭＡＣ）、および、物理レイヤ制御（ＰＨＹ）を含んでもよい。ｅノードＢ２１６、２２６、２２８は、Ｘ２インターフェース（“Ｘ２”）によって、互いに相互接続されている。ｅノードＢ２１６、２２６、２２８はまた、Ｓ１インターフェースによって、ＥＰＣ（進化パケットコア）に対して接続されており、より詳細には、データパケットネットワーク２３４に対して接続されている、移動体管理エンティティ／担当ゲートウェイ（ＭＭＥ／Ｓ−ＧＷ）２３０、２３２に対して接続されていてもよい。Ｓ１インターフェースは、ＭＭＥｓ／Ｓ−ＧＷ２３０、２３２と、ｅノードＢ２１６、２２６、２２８との間の、多対多の関係をサポートする。
【００３７】
ｅノードＢ２１６、２２６、２２８は、以下の機能をホスティングする。すなわち、無線リソース管理：無線ベアラ制御、無線アドミッション制御、接続モビリティ制御、アップリンクおよびダウンリンクの両方における、ＵＥに対するリソースの動的割振（スケジューリング）；ユーザデータストリームのＩＰヘッダ圧縮および暗号化；ＵＥアタッチメントにおけるＭＭＥの選択；担当ゲートウェイに対するユーザプレーンデータのルーティング；（ＭＭＥから発信された）ページングメッセージのスケジューリングおよび送信；ブロードキャスト情報のスケジューリングおよび送信；ならびに、モビリティおよびスケジューリングに対する、測定および測定報告構成である。
【００３８】
ＭＭＥは、以下の機能をホスティングする。すなわち、ｅノードＢ２１６、２２６、２２８に対するページングメッセージの配布；アイドル状態モビリティ制御；システムアーキテクチャ進化（ＳＡＥ）ベアラ制御；非アクセス層（ＮＡＳ）シグナリングの暗号化および統合性保護である。サービスゲートウェイは、以下の機能をホスティングし、すなわち、ページング事由のためのＵ−プレーンパケットの終端と、ＵＥモビリティのサポートのためのＵ−プレーンの切り替えである。
【００３９】
ｅノードＢ２１６からのＤＬ２２０は、以下で記述するＡＣＫに対して、アップリンクロケーションにマッピングされるべき、ダウンロード割振に関連する、複数の通信チャネルを含み、ＡＣＫは、物理ダウンリンク制御チャネル（ＰＤＣＣＨ）２３６、物理ランダムアクセスチャネル（ＰＲＡＣＨ）２４２、および、ボイスオーバーＩＰ（ＶｏＩＰ）２４４として示す、半永久的にスケジュールされている通信チャネルを含む。データが誤っているときに、ＣＲＣが正しいことが見つかる見込みを少なくするために、ｅＮＢ２１６は、拡張ＣＲＣエンコーダ２４６を備える、ランダムアクセス応答（ＲＡＲ）アップリンク（ＵＬ）認可を持つ。同様に、ＵＥ２１８は、拡張ＣＲＣデコーダ２４８を備える、ＲＡＲ  ＵＬ認可を持つ。
【００４０】
３つの異なるタイプの物理（ＰＨＹ）チャネルが、ＬＴＥダウンリンク２２０に対して規定されている。物理チャネルの１つの共通する特性は、それらのすべてが、ＬＴＥスタック中のより高いレイヤからの情報を伝達することである。これは、ＰＨＹレイヤ内で、排他的に使用される情報を伝達する物理的信号と対照的である。
【００４１】
ＬＴＥ  ＤＬ物理チャネルは、物理ダウンリンク共有チャネル（ＰＤＳＣＨ）、物理ダウンリンク制御チャネル（ＰＤＣＣＨ）２３６、および、（示していない）共通制御物理チャネル（ＣＣＰＣＨ）である。物理チャネルは、Ｌ２／Ｌ３レイヤに対するサービスアクセスポイント（ＳＡＰ）である、トランスポートチャネルに対して、マッピングする。各物理的チャネルは、ビットスクランブリング、変調、レイヤマッピング、巡回遅延ダイバーシティ（ＣＤＤ）プレコーディング、リソースエレメント割当に対する規定されたアルゴリズムを持ち；レイヤマッピング、およびプレコーディングは、ＭＩＭＯアプリケーションに関連している。レイヤは、空間的多重化チャネルに対応する。
【００４２】
ブロードキャストチャネル（ＢＣＨ）は、固定されたフォーマットを有し、セルの全体のカバレッジエリアにわたってブロードキャストされる。ダウンリンク共有チャネル（ＤＬ−ＳＣＨ）は、ハイブリッド自動再送要求（ＨＡＲＱ）をサポートし、変調、コーディング、および、送信電力を変えることによって、動的リンク適合をサポートし、全体のセルカバレッジエリアにわたっての送信に適しており、ビーム形成を有する使用に適しており、動的および半静的リソース割振をサポートし、また、節電のための断続的受信（ＤＲＸ）をサポートする。ページングチャネル（ＰＣＨ）は、ＵＥ  ＤＲＸをサポートし、全体のセルカバレッジエリアにわたってのブロードキャストを要求し、動的に割り振られている物理的リソースに対してマッピングされる。マルチキャストチャネル（ＭＣＨ）は、全体のセルカバレッジエリアにわたって、ブロードキャストのために要求され、マルチキャスト／ブロードキャスト−単一周波数ネットワーク（ＭＢ−ＳＦＮ）をサポートし、半静的なリソース割振をサポートする。サポートされるトランスポートチャネルは、ブロードキャストチャネル（ＢＣＨ）、ページングチャネル（ＰＣＨ）、ダウンリンク共有チャネル（Ｄ；−ＳＣＨ）、および、マルチキャストチャネル（ＭＣＨ）である。トランスポートチャネルは、以下の機能を提供する。すなわち、より高いレイヤに対して／より高いレイヤからのデータを送るための構造、それによって、より高いレイヤが、より高いレイヤに対するＰＨＹステータスインジケータ（パケットエラー、ＣＱＩ等）を構成できるメカニズム、および、より高いレイヤに対するピアツーピアシグナリングをサポートすることである。トランスポートチャネルは、以下のように、物理チャネルにマッピングされている。すなわち、ＢＣＨは、ＣＣＰＣＨに対してマッピングされているが、ＰＤＳＣＨに対するマッピングは、考慮中である。ＰＣＨおよびＤＬ−ＳＣＨは、ＰＤＳＣＨに対してマッピングする。ＭＣＨは、ＰＤＳＣＨに対してマッピングされてもよい。
【００４３】
図３では、別の観点において、図１−２の通信システム１００、２００を包含できる通信システム３００は、レガシー汎用パケット無線サービス（ＧＰＲＳ）コア３０４を備えるインターフェースＳ４を介して、進化パケットコア３０２をインターフェースすることをサポートすることを含み、その担当ＦＰＲＳサポートノード（ＳＧＳＮ）３０６は、代わりに、Ｇｂインターフェースによって、移動体通信のためのグローバルシステム（ＧＳＭ（登録商標））／エッジ無線アクセスネットワーク（ＧＥＲＡＮ）３０８に対してインターフェースし、ｌｕインターフェースを介して、ＵＴＲＡＮ３１０に対してインターフェースする。Ｓ４は、ＦＰＲＳコア３０４と、インターアクセス層アンカー（ＩＡＳＡ）３１４の３ＧＰＰアンカー３１２との間の関連する制御と、モビリティサポートを備えるユーザプレーンを提供し、ＳＧＳＮ３０６と、（表示していない）ＧＰＲＳ担当／サポートノード（ＧＧＳＮ）の間で規定されるＧｎ基準ポイントに基づいている。ＩＡＳＡ３１４はまた、Ｓ５ｂインターフェースによって、３ＧＰＰアンカー３１２に対してインターフェースされているシステムアーキテクチャ進化（ＳＡＥ）アンカー３１６を含み、Ｓ５ｂインターフェースは、関連する制御およびモビリティサポートを備えるユーザプレーンを提供する。３ＧＰＰアンカー３１２は、インターフェースＳ５ａを介して、ＭＭＥ  ＵＰＥ３１８と通信する。モビリティ管理エンティティ（ＭＭＥ）は、ｅＮＢに対するページングメッセージの配布に関しており、ユーザプレーンエンティティ（ＵＰＥ）は、ＩＰヘッダの圧縮およびユーザデータストリームの暗号化と、ページング事由のためのＵ−プレーンパケットの終端、および、ＵＥモビリティのサポートのためのＵ−プレーンの切り替えに関する。ＭＭＥ  ＵＰＥ３１８は、インターフェースＳ１を介して、ＵＥデバイス３２２とワイヤレスに通信している進化ＲＡＮ３２０に対して通信する。
【００４４】
Ｓ２ｂインターフェースは、ＳＡＥアンカー３１６と、ワイヤレスローカルアクセスネットワーク（ＷＬＡＮ）３ＧＰＰ  ＩＰアクセスコンポーネント３２６の進化パケットデータゲートウェイ（ｅＰＤＧ）３２４との間で、関連する制御およびモビリティサポートを備えるユーザプレーンを提供し、ＷＬＡＮ３ＧＰＰ  ＩＰアクセスコンポーネント３２６は、ＷＬＡＮアクセスネットワーク３２８も含む。ＳＧｉインターフェースは、ＡＳ間アンカー３１６と、パケットデータネットワーク３３０との間の基準ポイントである。パケットデータネットワーク３３０は、パブリックもしくはプライベートパケットデータネットワークの外部のオペレータであってもよく、例えば、ＩＰマルチメディアサブシステム（ＩＭＳ）サービスの供給のための、内部オペレータパケットデータネットワークであってもよい。このＳＧｉ基準ポイントは、ＧｉおよびＷｉ機能に対応し、何らかの３ＧＰＰアクセスシステム、および、非３ＧＰＰアクセスシステムをサポートする。Ｒｘ＋インターフェースは、パケットデータネットワーク３３０と、ポリシーおよびチャージング規則機能（ＰＣＲＦ）３３２との間の通信を提供し、これが、代わりに、Ｓ７インターフェースを介して、進化パケットコア３０２に対して通信する。Ｓ７インターフェースは、ＰＣＲＦ３３２からの（ＱｏＳ）ポリシーおよびチャージング規則の、（示していない）ポリシーおよびチャージング強制ポイント（ＰＣＥＰ）に対する転送を提供する。Ｓ６インターフェース（すなわち、ＡＡＡインターフェース）は、進化パケットコア３０２と、ホーム加入者サービス（ＨＳＳ）３３４に対してインターフェースさせることによって、加入および認証データの認証／認可ユーザアクセスに対する転送を可能にする。Ｓ２ａインターフェースは、信頼されている非３ＧＰＰ  ＩＰアクセス３３６と、ＳＡＥアンカー３１６との間の関連する制御およびモビリティサポートを備えるユーザプレーンを提供する。
【００４５】
ワイヤレス通信システムは、音声、データ、等のようなさまざまなタイプの通信コンテンツを提供するように、広く配備されていることを認識すべきである。これらのシステムは、利用可能なシステムリソース（例えば、帯域幅および送信電力）を共有することによって、複数のユーザとの通信をサポートすることができる多元接続システムであってもよい。そのような多元接続システムの例は、コード分割多元接続（ＣＤＭＡ）システムと、時分割多元接続（ＴＤＭＡ）システムと、周波数分割多元接続（ＦＤＭＡ）システムと、３ＧＰＰ  ＬＴＥシステムと、直交周波数分割多元接続（ＯＦＤＭＡ）システムとを含む。
【００４６】
一般的に、ワイヤレス多元接続通信システムは、複数のワイヤレス端末に対する通信を同時にサポートできる。各端末は、フォワードリンクおよびリバースリンク上の通信によって、１つ以上の基地局と通信してもよい。フォワードリンク（すなわち、ダウンリンク）は、基地局から端末への通信リンクを指し、リバースリンク（すなわち、アップリンク）は、端末から基地局への通信リンクを指す。この通信リンクは、単数入力単数出力（ＳＩＳＯ）、複数入力単数出力（ＭＩＳＯ）、または、複数入力複数出力（ＭＩＭＯ）システムによって確立できる。
【００４７】
ＭＩＭＯシステムは、データ送信のために、複数（ＮT）の送信アンテナと、複数（ＮR）の受信アンテナとを用いる。ＮT個の送信アンテナと、ＮR個の受信アンテナとによって形成されたＭＩＭＯチャネルは、ＮS個の独立したチャネルへと分解されてもよく、これはまた、空間的チャネルとして呼ばれてもよく、ここで、ＮS≦ｍｉｎ｛ＮT，  ＮR｝である。ＮS個の独立したチャネルのそれぞれは、次元（dimension）に対応している。ＭＩＭＯシステムは、複数の送受信アンテナが使用されることによって、追加の次元数（dimensionality）が作成される場合、改善された性能（例えば、より高いスループット、および／または、より大きい信頼性）を提供できる。
【００４８】
ＭＩＭＯシステムは、時分割二重（“ＴＤＤ”）システムと、周波数分割二重（“ＦＤＤ”）システムとをサポートしてもよい。ＴＤＤシステムでは、相互依存の原則が、リバースリンクチャネルから、フォワードリンクチャネルの推定を可能にするように、フォワードおよびリバースリンク送信は、同一の周波数領域のものである。このことは、複数のアンテナがアクセスポイントにおいて利用可能であるときに、アクセスポイントが、フォワードリンク上で、送信ビーム形成利得を抽出することを可能にする。
【００４９】
図４を参照して、１つの観点にしたがった、多元接続ワイヤレス通信システムを図示する。アクセスポイント３５０（ＡＰ）は、複数のアンテナグループを含み、あるものは３５４および３５６を有し、別のものは３５８および３６０を有し、さらなるものは３６２および３６４を有する。図４において、各アンテナグループに対して２つだけのアンテナを示したが、より多くの、または、より少ないアンテナが、各アンテナグループに対して利用されてもよい。アクセス端末（ＡＴ）３６６は、アンテナ３６２および３６４と通信しており、ここで、アンテナ３６２および３６４は、フォワードリンク３７０を通して、アクセス端末３６６に対して情報を送信し、リバースリンク３６８を通して、アクセス端末３６６からの情報を受信する。アクセス端末３７２は、アンテナ３５６および３５８と通信しており、ここで、アンテナ３５６および３５８は、フォワードリンク３７６を通して、アクセス端末３７２に対して情報を送信し、リバースリンク３７４を通して、アクセス端末３７２からの情報を受信する。ＦＤＤシステムにおいて、通信リンク３６８、３７０、３７４、および、３７６は、通信のために異なる周波数を使用してもよい。例えば、フォワードリンク３７０は、リバースリンク３６８によって使用されるのとは、異なる周波数を使用してもよい。各グループのアンテナおよび／またはそれらが通信するように設計されているエリアは、アクセスポイント３５０のセクタとして呼ばれることが多い。この観点では、グループのアンテナは、それぞれアクセスポイント３５０によってカバーされるセクタのエリア中で、アクセス端末３６６、３７２と通信するように設計されている。
【００５０】
フォワードリンク３７０および３７６を通しての通信において、アクセスポイント３５０の送信アンテナは、異なるアクセス端末３６６および３７４に対するフォワードリンクの信号対雑音比を改善するために、ビーム形成を利用する。また、そのカバレッジ全体にわたって、ランダムに散らばっているアクセス端末に対して送信するためにビーム形成を使用するアクセスポイントは、そのすべてのアクセス端末に対して、単一のアンテナを通して送信するアクセスポイントよりも、隣接セルにおける、アクセス端末に対するより少ない干渉をもたらす。
【００５１】
アクセスポイント３５０は、端末と通信するために使用される据置型局であってもよく、アクセスポイント、ノードＢ、または、他の何らかの用語として呼ばれてもよい。アクセス端末３６６、３７２はまた、ユーザ装置（ＵＥ）、ワイヤレス通信デバイス、端末、アクセス端末、または、他の何らかの用語で呼ばれてもよい。
【００５２】
図５は、ＭＩＭＯシステム４００における、（アクセスポイントとしても知られている）送信機システム４１０と、（アクセス端末としても知られている）受信機システム４５０との観点のブロック図である。送信機システム４１０において、いくつかのデータストリームのトラフィックデータが、データ源４１２から送信（ＴＸ）データプロセッサ４１４に対して提供される。
【００５３】
１つの観点では、各データストリームは、それぞれの送信アンテナを通して送信される。ＴＸデータプロセッサ４１４は、コード化されたデータを提供するために、そのデータストリームに対して選択された特定のコーディングスキームにしたがって、各データストリームに対するトラフィックデータをフォーマットし、コード化し、および、インターリーブする。
【００５４】
各データストリームに対するコード化されたデータは、ＯＦＤＭ技術を使用して、パイロットデータとともに、多重化されていてもよい。パイロットデータは、一般的に、知られている方法で処理され、受信機システムにおいてチャネル応答を推定するのに使用されてもよい、知られているデータパターンのものである。各データストリームに対する多重化されたパイロット、および、コード化されたデータは、変調シンボルを提供するために、そのデータストリームに対して選択された特定の変調スキーム（例えば、ＢＰＳＫ、ＱＳＰＫ、Ｍ−ＰＳＫ、または、Ｍ−ＱＡＭ）に基づいて、変調される（すなわち、シンボルマップされる）。各データストリームに対するデータレート、コーディング、および、変調は、プロセッサ４３０によって実行される命令によって決定されてもよい。
【００５５】
すべてのデータストリームに対する変調シンボルが、次に、ＴＸ  ＭＩＭＯプロセッサ４２０に対して提供され、これは、変調シンボルを（例えば、ＯＦＤＭに対して）さらに処理してもよい。ＴＸ  ＭＩＭＯプロセッサ４２０は、次に、ＮT個の送信機（ＴＭＴＲ）４２２ａから４２２ｔに対して、ＮT個の変調シンボルを提供する。ある実現では、ＴＸ  ＭＩＭＯプロセッサ４２０は、データストリームのシンボルに対して、および、そこからシンボルが送信されているアンテナに対して、ビーム形成重みを適用する。
【００５６】
各送信機４２２は、それぞれのシンボルストリームを受信および処理して、１つ以上のアナログ信号を提供し、アナログ信号をさらに調整（例えば、増幅し、フィルタし、および、アップコンバート）して、ＭＩＭＯチャネルを通しての送信に適切な変調された信号をもたらす。送信機４２２ａから４２２ｔよりの、ＮT個の変調された信号は、次に、ＮT個のアンテナ４２４ａから４２４ｔより、それぞれ送信される。
【００５７】
受信機システム４５０において、変調および送信された信号が、ＮR個のアンテナ４５２ａから４５２ｒによって受信され、各アンテナ４５２からの受信信号は、それぞれの受信機（ＲＣＶＲ）４５４ａから４５４ｒへと提供される。各受信機４５４は、それぞれの受信信号を調整（例えば、フィルタし、増幅し、および、ダウンコンバート）して、調整された信号をデジタル化して、サンプルをもたらして、サンプルをさらに処理して、対応する“受信”シンボルストリームをもたらす。
【００５８】
ＲＸデータプロセッサ４６０は、次に、ＮR個の受信機４５４からのＮR個の受信シンボルストリームを、特定の受信機処理技術に基づいて、受信および処理して、ＮT個の“検出された”シンボルストリームをもたらす。ＲＸデータプロセッサ４６０は、次に、各検出されたシンボルストリームを、復調し、デインターリーブし、デコードして、データストリームに対するトラフィックデータを回復させる。ＲＸデータプロセッサ４６０による処理は、送信機システム４１０におけるＴＸ  ＭＩＭＯプロセッサ４２０およびＴＸデータプロセッサ４１４によって実行される処理に対して補完的なものである。
【００５９】
プロセッサ４７０は、どのプレコーディングマトリックスを使用すべきかを定期的に決定する（以下で記述する）。プロセッサ４７０は、マトリックスインデックス部分と、ランク値部分とを含む、リバースリンクメッセージを形成する。
【００６０】
リバースリンクメッセージは、通信リンク、および／または、受信データストリームに関するさまざまなタイプの情報を含んでもよい。リバースリンクメッセージは、次に、ＴＸデータプロセッサ４３８によって処理され、これはまた、データ源４３６からのいくつかのデータストリームであって、変調機４８０によって変調され、送信機４５４ａから４５４ｒによって調整され、送信機システム４１０に送信し戻される、いくつかのデータストリームのトラフィックデータを受け取る。
【００６１】
送信機システム４１０において、受信機システム４５０からの変調された信号は、アンテナ４２４によって受信され、送信機４２２によって調整され、復調機（“ＤＥＭＯＤ”）４４０によって復調され、ＲＸデータプロセッサ４４２によって処理されて、受信機システム４５０によって送信されたリバースリンクメッセージを抽出する。プロセッサ４３０は次に、ビーム形成重みを決定するために、どのプレコーディングマトリックスを使用すべきかを決定して、抽出メッセージを処理する。
【００６２】
ある観点では、論理チャネルは、制御チャネルと、トラフィックチャネルとに分類される。論理制御チャネルは、ブロードキャスト制御チャネル（ＢＣＣＨ）を含み、これは、システム制御情報をブロードキャストするためのＤＬチャネルである。ページング制御チャネル（ＰＣＣＨ）は、ページング情報を転送するＤＬチャネルである。マルチキャスト制御チャネル（ＭＣＣＨ）は、１つまたはいくつかのＭＴＣＨに対して、マルチメディアブロードキャストおよびマルチキャストサービス（ＭＢＭＳ）スケジューリングおよび制御情報を送信するために使用されるポイント対マルチポイントＤＬチャネルである。一般的に、ＲＲＣ接続を確立した後、このチャネルは、ＭＢＭＳ（注意：古いＭＣＣＨ＋ＭＳＣＨ）を受信したＵＥによってだけ使用される。専用制御チャネル（ＤＣＣＨ）は、専用制御情報を送信し、ＲＲＣ接続を有するＵＥによって使用される、ポイント対ポイントの２方向性チャネルである。この観点では、論理トラフィックチャネルは、専用トラフィックチャネル（ＤＴＣＨ）を含み、これは、ユーザ情報を転送するための、ポイント対ポイントの２方向性チャネルであり、１つのＵＥに対して専用である。さらに、マルチキャストトラフィックチャネル（ＭＴＣＨ）は、トラフィックデータを送信するための、ポイント対マルチポイントＤＬチャネルである。
【００６３】
１つの観点では、転送チャネルは、ＤＬおよびＵＬに分類される。ＤＬ転送チャネルは、ブロードキャストチャネル（ＢＣＨ）、ダウンリンク共有データチャネル（ＤＬ−ＳＤＣＨ）、および、ぺージングチャネル（ＰＣＨ）を含み、ＰＣＨは、ＵＥ節電をサポートするためのものであり（ＤＲＸサイクルが、ネットワークによって、ＵＥに対して示される）、全体のセルにわたってブロードキャストされ、他の制御／トラフィックチャネルに対して使用されることができるＰＨＹリソースに対してマッピングされる。ＵＬ転送チャネルは、ランダムアクセスチャネル（ＲＡＣＨ）、要求チャネル（ＲＥＱＣＨ）、アップリンク共有データチャネル（ＵＬ−ＳＤＣＨ）、および、複数のＰＨＹチャネルを含む。ＰＨＹチャネルは、１組のＤＬチャネルおよびＵＬチャネルを含む。
【００６４】
ＤＬ  ＰＨＹチャネルは、共通パイロットチャネル（ＣＰＩＣＨ）；同期チャネル（ＳＣＨ）；共通制御チャネル（ＣＣＣＨ）；共有ＤＬ制御チャネル（ＳＤＣＣＨ）；マルチキャスト制御チャネル（ＭＣＣＨ）；共有ＵＬ割当チャネル（ＳＵＡＣＨ）；肯定応答チャネル（ＡＣＫＣＨ）；ＤＬ物理共有データチャネル（ＤＬ−ＰＳＤＣＨ）；ＵＬ電力制御チャネル（ＵＰＣＣＨ）；ページング指示チャネル（ＰＩＣＨ）；ロード表示チャネル（ＬＩＣＨ）を含み、ＵＬ  ＰＨＹチャネルは、物理ランダムアクセスチャネル（ＰＲＡＣＨ）；チャネル品質指示チャネル（ＣＱＩＣＨ）；肯定応答チャネル（ＡＣＫＣＨ）；アンテナサブセット指示チャネル（ＡＳＩＣＨ）；共有要求チャネル（ＳＲＥＱＣＨ）；ＵＬ物理共有データチャネル（ＵＬ−ＰＳＤＣＨ）；ブロードバンドパイロットチャネル（ＢＰＩＣＨ）を含む。
【００６５】
図６において、ＳＰＳのためのＬＴＥ（長期間進化）ＰＤＣＣＨにおける拡張ＣＲＣを送信するための方法６００を示す。ｅＮＢにおいて、ＳＰＳが保証されているか否かについての決定が行われ（ブロック６０２）、そうでない場合、方法は終了して（ブロック６０４）、動的スケジューリングを実行し続ける。保証されている場合、ＰＤＣＣＨのペイロードに対するＳＰＳ制約規則がアクセスされる（ブロック６０６）。ＵＥにおける拡張有効性検査のために、ＰＤＣＣＨペイロードに対して、これらの制約規則を適用する（ブロック６０８）。ＰＤＣＣＨペイロードは、ＣＲＣを計算され、ペイロードに対してＣＲＣが追加される（ブロック６１０）。
【００６６】
図７において、ＵＥにおいて、ＳＰＳのためのＬＴＥ  ＰＤＣＣＨにおける拡張ＣＲＣを受信するための方法７００を示す。間違ったアラームＰＤＣＣＨ  ＳＰＳ認可が、アップリンク認可としてデコードされる場合、ＵＥは、担当間隔毎に、何らかのランダムリソース上で、繰り返し送信することになる。ＵＥは、ＰＨＩＣＨ上で、Ａｃｋ／Ｎａｋフィードバックを探して、ＡｃｋまたはＮａｋをランダムにデコードするだろう。Ｎａｋがデコードされる場合、ＵＥは、それが所有していないリソース上で再送信し続けるだろう。この送信は、他のＵＬ−ＳＣＨと衝突するかもしれず、したがって、システムスループットを悪化させる。間違ったアラームを経験しているＵＥからの、対応するＶｏＩＰフレームは、無線上で行方不明になっており、ｅＮＢは、これらをデコードしようとせず、ＵＥは、それらに対するＡｃｋを受信してもよい。ｅＮＢは、何を探すべきかを知らないので、どのＵＥがジャミングしているかを見つけることができない。
【００６７】
前述したように、間違ったアラーム認可は、半永久的スケジューリングが使用されているときには、非常に重篤な結果をもたらす。好ましいことに、開示している発明は、本物の認可から、間違ったアラームを区別することができる。１組の規則を標準化することは、ＳＰＳを示す認可が、本物であるか、または、間違ったアラームであるか否かを規定できる。この記述において、我々は、アップリンクにフォーカスしており、なぜならば、アップリンクジャミングの結果は、ダウンリンク上の間違ったアラームの結果よりもより重篤であるからであるが、しかしながら、ここで開示する観点を、ダウンリンクに適用できることを認識すべきである。
【００６８】
図７の説明を続けると、ＵＥは、ＰＤＣＣＨ上でメッセージを受信する（ブロック７０２）。メッセージは、電力制御７０４、アップリンク（ＵＬ）認可７０６、コンパクトダウンリンク（ＤＬ）割当７０８、ＳＩＭＯ（単数入力複数出力）ＵＥに対するＤＬ割当７１０、ＭＩＭＯ（複数入力複数出力）ＵＥに対するＤＬ割当７１２、であってもよい。ブロック７１４において、ＰＤＣＣＨメッセージのタイプが決定される。決定は、このＰＤＣＣＨメッセージが、半永久的スケジューリング（ＳＰＳ）認可であるか否かに関して行われる（ブロック７１６）。そうでない場合、方法７００は、７１８において終了する。ＳＰＳが示される場合、ＵＥは、７２０において示すように、拡張ＳＰＳ認可／割当の有効性検査を実行する。
【００６９】
ブロック７２２において、ＰＤＣＣＨメッセージのタイプに対して、制約規則がアクセスされる。例示的な観点では、ＵＬ認可に対するＰＤＣＣＨの例示的なフォーマットは、表１に示すものである。
【表１】
2011515959.tif 000003
【００７０】
１つの観点では、ブロック７２４において示したように、制約規則が満足される場合、決定が行われる。ＳＰＳ  ＰＤＣＣＨの可能性あるフォーマット上での制限または制約は、ＣＲＣ有効性検査に対する拡張をもたらす（仮想ＣＲＣ）。満足される場合、計算された有効性チェック値（Ｘ−ＣＲＣ）が、ＰＤＤＣＨメッセージペイロードに対して決定される（ブロック７２６）。次に、計算された有効性チェック値（Ｘ−ＣＲＣ）が、付加されたＣＲＣに一致するか否かに関して決定が行われる（ブロック７２８）。そうである場合、ブロック７３０において、ｅＮＢは、許可されたＳＰＳ  ＰＤＣＣＨ認可のみを送信する。したがって、戻ってブロック７２４を参照して、ＵＥは、規則を満たさないＳＰＳ  ＰＤＣＣＨ認可を無視する。この拡張された検査は、より多くの間違ったアラームＳＰＳ  ＰＤＣＣＨ認可が、ＵＥによって、確実に無視されるようにする。
【００７１】
例示的な観点では、以下のｅＮＢ制約規則を使用できる。図８において、方法８００は、ＵＬ  ＳＰＳ認可に対する１組の条件（制約規則）を含むことができる。ｅＮＢは、以下のように、制約規則を満足させることができる。すなわち：  
（ａ）ＵＬ認可に対するフォーマットフラグをセット（１ビット）（ブロック８０２）；  
（ｂ）ＮＤＩを規定された値にセット（新しい送信）（１ビット）（ブロック８０４）；  
（ｃ）非周期性のＣＱＩを、規定された値にセット（例えば、非周期性ＣＱＩは、報告されない）（１ビット）（ブロック８０６）；  
（ｄ）リソース割振は、規定された割合の帯域幅よりも少なく割り当てなければならない（１ビット）（ブロック８０８）；  
（ｅ）最も高い変調が使用されないように、可能なようにＭＣＳを制限（１ビット）（ブロック８１０）；  
（ｆ）送信電力制御（ＴＰＣ）コマンドを、予め規定された値にセットしなければならない（２ビット）（ブロック８１２）；  
（ｇ）復調器準信号（ＤＭ−ＲＳ）に対する巡回シフトを、予め規定された値にセットしなければならない（３ビット）（ブロック８１４）；  
満足されない場合、ＵＥは、ＣＲＣだけに基づいて、ＰＤＣＣＨ  ＳＰＳを有効性に対して評価し続けない。
【００７２】
同様に、図９において、ＵＥにおいて、ＵＬ  ＳＰＳ認可に対して、制約規則を評価するための方法９００を図示した。ＰＤＣＣＨが、半永久的スケジューリングというよりはむしろ、動的スケジューリングを示しているか否かを、ＵＥが決定できることを理解すべきである。認可がＳＰＳ認可であることを明らかにした後で、ＵＬ認可に対して、例えば、以下のように規則が一致する場合にのみ、ＵＥは、ＳＰＳ認可にしたがう。すなわち：（ａ）フォーマットフラグがＵＬ認可を示す（ブロック９０２）；（ｂ）ＮＤＩが規定された値にセットされる（新しい送信）（ブロック９０４）；（ｃ）非周期性のＣＱＩが、規定された値にセットされている（例えば、非周期性ＣＱＩは、報告されない）（ブロック９０６）；（ｄ）リソース割当が有効であり、すなわち、規定された割合の帯域幅よりも多く割当していない（ブロック９０８）；（ｅ）制約があるとして、ＭＣＳは、ＳＰＳに対して有効なＭＣＳであること（ブロック９１０）である。
【００７３】
これらの規則は、ＰＤＣＣＨペイロードビット上で５ビットを含む。したがって、上記の技術は、ＳＰＳ認可に対して、ＰＤＣＣＨ  ＣＲＣを２１ビットに拡張することに類似している。
【００７４】
ダウンリンク認可上の間違ったアラームは、より重篤でない結果を持つが、類似の技術が適用できる。ダウンリンク認可に対する３つのフォーマットがあり、これは、コンパクトダウンリンクＤＬ（表２を参照のこと）、ＳＩＭＯ  ＤＬ（表３を参照のこと）、および、ＭＩＭＯ  ＤＬＡ（表４を参照のこと）である。
【表２】
2011515959.tif 000004
【００７５】
図１０において、ｅＮＢによって使用されている、ＤＬコンパクトに対する、１組の規則を含む方法１０００を示す。すなわち、フォーマット１Ａがセットされる（表１）（ブロック１００２）；（２）分散送信フラグは、分散していないことを示す（ブロック１００４）；（３）リソース割振は、規定された割合の帯域幅よりも少なく割り振らなければならない（１ビット）（ブロック１００６）；（４）最も高い変調が使用されないように、可能なようにＭＣＳを制限（１ビット）（ブロック１００８）；および、（５）再送信シーケンス番号は、第１のＨＡＲＱ送信を示す（３ビット）（ブロック１０１０）である。
【表３】
2011515959.tif 000005
【００７６】
図１１において、表３のフォーマット１にしたがって、方法１１００は、ＳＩＭＯ（単数入力複数出力）ＤＬに対してｅＮＢによって使用される、例示的な１組の制約規則を利用する。すなわち、（１）分散送信フラグは、分散していないことを示す（ブロック１１０２）；（２）リソース割振は、規定された割合の帯域幅よりも少なく割り振りする（１ビット）（ブロック１１０４）；（３）最も高い変調が使用されないように、可能なようにＭＣＳを制限する（１ビット）（ブロック１１０６）；（４）再送信シーケンス番号が、第１のＨＡＲＱ送信を示す（３ビット）（ブロック１１０８）である。
【００７７】
第１の例示的なオプションとして、ＭＩＭＯ  ＤＬに対して、ｅＮＢによって使用される、以下の組の規則を考慮する。ある例示的な観点では、ＭＩＭＯ  ＤＬは、ＳＰＳとともに使用されることができず、したがって、ＵＥは、ＳＰＳおよびＭＩＭＯを示している何らかのＰＤＣＣＨを無視する。
【表４】
2011515959.tif 000006
【００７８】
図１２において、第２の例示的なオプションとして、表４のＭＩＭＯ  ＤＬに対してｅＮＢによって使用される、以下のような１組の規則を含む方法１２００として示した、以下のような１組の制約規則を考慮する。すなわち、（１）分散送信フラグは、分散していないことを示す（ブロック１２０２）；（２）リソース割振は、規定された割合の帯域幅よりも少なく割り振りする（１ビット）（ブロック１２０４）；（３）最も高い変調が使用されないように、２つのトランスポートブロックのそれぞれに対して、可能なようにＭＣＳを制限する（１ビット）（ブロック１２０６）；（４）再送信シーケンス番号が、第１および第２のトランスポートブロックに対する、第１のＨＡＲＱ送信を示す（３ビット）（ブロック１２０８）である。
【００７９】
図１３において、アクセス端末（例えば、ユーザ装置）６００は、アクセスノード（図１４）から、半永久的スケジューリング表示を受信するための手段を提供するコンピューティングプラットフォーム１３０２を持つ。特に、コンピューティングプラットフォーム１３０２は、プロセッサ１３１４によって実行可能な１組の命令またはコード（モジュール）１３０４−１３１２を含み、プロセッサ１３１４は、トランシーバ（“Ｔｘ／Ｒｘ”）１３１６による送受信も制御する。特に、手段（モジュール）１３０４は、制御チャネル上で、半永久的スケジューリング（ＳＰＳ）に対する認可を検出するために提供される。手段（モジュール）１３０６は、ペイロード有効性を決定するための条件として、有効な半永久的スケジューリングを示す制御チャネル上で搬送されるペイロードの一部において制約を照合するために提供される。手段（モジュール）１３０８は、ペイロードに対して、巡回冗長検査（ＣＲＣ）を計算するために提供される。手段（モジュール）１３１０は、計算された巡回冗長検査を、ペイロードに伴うＣＲＣフィールドに比較するために提供される。手段（モジュール）１３１２は、有効性確認されたペイロードにしたがって、半永久的にスケジュールされたデータを送信するために提供される。これによって、アクセスノード６００は、チェックフィールドを拡張する、照合された使用されていない制御フィールドを提供して、ランダムアクセス応答におけるエラーを有するのに、正しい受け取りを示しているチェックフィールドの可能性を減らす。
【００８０】
図１４において、アクセス端末（例えば、ユーザ装置）による、拡張された有効性決定のための半永久的スケジューリング表示を、コンピュータに送信させるための手段を提供するコンピューティングプラットフォーム１４０２を、アクセスノード（例えば、ｅＮＢ）１４００が持つ。特に、コンピューティングプラットフォーム１４０２は、プロセッサ１４１４によって実行可能な１組の命令またはコード（モジュール）１４０４−１４１０を含み、プロセッサ１４１４は、トランシーバ（“Ｔｘ／Ｒｘ”）１４１６による送受信も制御する。特に、手段（モジュール）１４０４は、制御チャネル上で、半永久的スケジューリング（ＳＰＳ）に対する認可を検出するために提供される。手段（モジュール）１４０６は、ペイロードの有効性を決定するための条件として、有効な半永久的スケジューリングを示す制御チャネル上で搬送されるペイロードの一部に制約を課すために提供される。手段（モジュール）１４０８は、ペイロードに対して、巡回冗長検査（ＣＲＣ）を計算するために提供される。手段（モジュール）１４１０は、ユーザ装置による、有効性確認されたペイロードおよびＣＲＣフィールドにしたがった、半永久的スケジューリングされたデータの送信を認可するために、ペイロードに伴うＣＲＣフィールドとして、計算された巡回冗長性検査を送信するために提供される。
【００８１】
上記の説明は、１つ以上の観点の例を含む。当然ながら、前述の観点を説明する目的で、あらゆる考慮可能なコンポーネントまたは方法の組み合わせを記述することは可能ではないが、当業者は、さまざまな観点の多くのさらなる組み合わせや置換が可能であることを理解するだろう。したがって、記述した観点は、添付の特許請求の範囲の精神と範囲内に収まるものとして、このような変更、修正、および変種のすべてを包含することを意図している。
【００８２】
特に、上記のコンポーネント、デバイス、回路、システム、および、類似物によって実行されるさまざまな機能に関連して、このようなコンポーネントを記述するのに使用される（“手段”に対する参照を含む）用語は、そうではないとして示さない限り、たとえ、開示した構造に構造的に同等でないとしても、ここでの例示的な観点における機能を実行する、記述したコンポーネント（例えば、機能的に同等な物）の特定の機能を実行する任意のコンポーネントに対応することを意図している。これに関して、さまざまな観点は、システムとともに、さまざまな方法の動作および／またはイベントを実行するためのコンピュータ実行可能命令を有するコンピュータ読取可能媒体を含むことをまた、理解するだろう。
【００８３】
さらに、特定の特徴が、いくつかの実現のうちの１つだけに関して開示してきた一方で、このような特徴を、所望のように、および、所定または任意の応用に対して有利なように、他の実現の、他の１つ以上の特徴に組み合わせてもよい。用語“含む（includes）”、“含んでいる（including）”、および、これらの変形が、詳細な説明または特許請求の範囲のいずれかにおいて、使用される範囲では、このような用語は、“備える（comprising）”が特許請求の範囲中の過渡的な用語として用いられるときに解釈されるような用語“備える（comprising）”と同様な方法で包括的であることを意図している。さらに、詳細な説明または特許請求の範囲のいずれかにおいて、使用される用語“または（ｏｒ）”は、“排他的でない、または”であることが意図されている。
【００８４】
さらに、理解されることになるが、開示したシステムおよび方法は、人工知能、機械学習、または、知識もしくはルールベースのコンポーネント、サブコンポーネント、プロセス、手段、方法論、あるいは、メカニズム（例えば、サポートベクトルマシン、ニューラルネットワーク、エキスパートシステム、ベイジアンビリーフネットワーク、ファジーロジック、データフュージョンエンジン、分類）を含んでもよく、または、これらからなっていてもよい。このようなコンポーネントは、とりわけ、これらによって実行される特定のメカニズムまたはプロセスを自動化して、システムおよび方法の一部を、より適応的に、また、効率的および知的にすることができる。制限ではなく、例として、進化ＲＡＮ（例えば、アクセスポイント、ｅノードＢ）は、いつ、堅牢または拡張チェックフィールドが用いられるかを推論または予測できる。
【００８５】
上に記述した例示的なシステムを鑑みて、開示された主題にしたがって、実現されてもよい方法を、いくつかのフロー図に対する参照とともに記述してきた。説明を簡潔にする目的で、方法を、一連のブロックとして示し、記述したが、特許請求の範囲は、これらのブロックの順序によって制限されておらず、いくつかのブロックは、異なる順序で発生してもよく、および／または、ここで示し、記述したものとは他のブロックとともに同時に発生してもよいことを理解および認識すべきである。さらに、図示したブロックのすべてが、ここで記述した方法を実現するために要求されるわけではない。さらに、ここで開示した方法は、このような方法をコンピュータに転送することを容易にする製品上に記憶されることができることをさらに認識すべきである。ここで使用する用語、製品は、何らかのコンピュータ読取可能デバイス、搬送波、または媒体からアクセス可能なコンピュータプログラムを包含することを意図している。
【００８６】
ここで参照によって組み込まれるとされた、任意の特許、出版物、または、他の開示された素材の全体または一部において、組み込まれる素材は、本開示中に述べられた、既存の定義、記述、または、他の開示された素材とコンフリクトしない範囲においてのみ、組み込まれることを理解すべきである。このように、および、必要な範囲において、ここで明示的に記述した開示は、ここで参照によって組み込まれた、任意のコンフリクトする素材を上書きする。ここで参照によって組み込まれているとされるが、既存の定義、記述、または、他の開示された素材とコンフリクトする、何らかの素材、または、これらの一部は、その組み込まれた素材と、既存の開示された素材との間で、何のコンフリクトも発生しない範囲においてのみ、組み込まれることになるだろう。
【図１】
2011515959.tif 000007
【図２】
2011515959.tif 000008
【図３】
2011515959.tif 000009
【図４】
2011515959.tif 000010
【図５】
2011515959.tif 000011
【図６】
2011515959.tif 000012
【図７】
2011515959.tif 000013
【図８】
2011515959.tif 000014
【図９】
2011515959.tif 000015
【図１０】
2011515959.tif 000016
【図１１】
2011515959.tif 000017
【図１２】
2011515959.tif 000018
【図１３】
2011515959.tif 000019
【図１４】
2011515959.tif 000020
【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
スケジューリング表示を受信するための方法において、
制御チャネル上で、認可または割当を検出することと、
有効な認可または割当を示す、前記制御チャネル上で搬送されるペイロードの一部における制約を、ペイロード有効性を決定するための条件として照合することと、
前記ペイロードの一部における前記制約が照合されたという決定に応答して、前記制御チャネル上のペイロードにしたがって、送信または受信することと
を含む方法。
【請求項２】
巡回冗長検査が満足されている場合であっても、前記制約が満足されない場合、何のアクションもとらないことをさらに含む、請求項１記載の方法。
【請求項３】
前記認可または前記割当は、半永久的スケジューリングのためのものである、請求項１記載の方法。
【請求項４】
アップリンク認可フラグと、予め規定された値にセットされた新しいデータインジケータと、予め規定された値にセットされた非周期的チャネル品質インジケータと、予め規定された割合の帯域幅より少なく割り振られたリソース割振と、最も高い変調を使用しない制限された変調およびコーディングスキームとを検出することによって、前記ペイロードの一部における前記制約を照合することをさらに含む、請求項１記載の方法。
【請求項５】
アップリンク認可フラグを検出することによって、前記ペイロードの一部における前記制約を照合することをさらに含む、請求項１記載の方法。
【請求項６】
予め規定された値にセットされた新しいデータインジケータを検出することによって、前記ペイロードの一部における前記制約を照合することをさらに含む、請求項１記載の方法。
【請求項７】
予め規定された値にセットされた非周期的チャネル品質インジケータを検出することによって、前記ペイロードの一部における前記制約を照合することをさらに含む、請求項１記載の方法。
【請求項８】
予め規定された割合の帯域幅より少なく割り振られたリソース割振を検出することによって、前記ペイロードの一部における前記制約を照合することをさらに含む、請求項１記載の方法。
【請求項９】
最も高い変調を使用しない制限された変調およびコーディングスキームを検出することによって、前記ペイロードの一部における前記制約を照合することをさらに含む、請求項１記載の方法。
【請求項１０】
半永久的スケジューリングのためのコンパクトダウンリンク割当を検出することをさらに含む、請求項１記載の方法。
【請求項１１】
分散送信フラグが分散されていないことを示していることを検出することによって、前記ペイロードの一部における前記制約を照合することをさらに含む、請求項１０記載の方法。
【請求項１２】
予め規定された割合の帯域幅より少なく割り振られたリソース割振を検出することによって、前記ペイロードの一部における前記制約を照合することをさらに含む、請求項１０記載の方法。
【請求項１３】
最も高い変調を使用しない制限された変調およびコーディングスキームを検出することによって、前記ペイロードの一部における前記制約を照合することをさらに含む、請求項１０記載の方法。
【請求項１４】
第１のハイブリッド自動再送要求（ＨＡＲＱ）送信を示す再送信シーケンス番号を検出することによって、前記ペイロードの一部における前記制約を照合することをさらに含む、請求項１０記載の方法。
【請求項１５】
分散送信フラグが分散されていないことを示していることと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とを検出することによって、前記ペイロードの一部における前記制約を照合することをさらに含む、請求項１０記載の方法。
【請求項１６】
単数入力複数出力（ＳＩＭＯ）半永久的スケジューリングのためのダウンリンク割当を検出することをさらに含む、請求項１記載の方法。
【請求項１７】
分散されていないことを示している分散送信フラグを検出することによって、前記ペイロードの一部における前記制約を照合することをさらに含む、請求項１６記載の方法。
【請求項１８】
予め規定された割合の帯域幅より少なく割り振られたリソース割振を検出することによって、前記ペイロードの一部における前記制約を照合することをさらに含む、請求項１６記載の方法。
【請求項１９】
最も高い変調を使用しない制限された変調およびコーディングスキームを検出することによって、前記ペイロードの一部における前記制約を照合することをさらに含む、請求項１６記載の方法。
【請求項２０】
第１のハイブリッド自動再送要求（ＨＡＲＱ）送信を示す再送信シーケンス番号を検出することによって、前記ペイロードの一部における前記制約を照合することをさらに含む、請求項１６記載の方法。
【請求項２１】
分散されていないことを示している分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とを検出することによって、前記ペイロードの一部における前記制約を照合することをさらに含む、請求項１６記載の方法。
【請求項２２】
ＭＩＭＯ半永久的スケジューリングのための表示を検出することによって、前記ペイロードの一部における有効性を決定することをさらに含む、請求項２１記載の方法。
【請求項２３】
分散されていないことを示している分散送信フラグを検出することによって、前記ペイロードの一部における前記制約を照合することをさらに含む、請求項２１記載の方法。
【請求項２４】
予め規定された割合の帯域幅より少なく割り振られたリソース割振を検出することによって、前記ペイロードの一部における前記制約を照合することをさらに含む、請求項２１記載の方法。
【請求項２５】
最も高い変調を使用しない、２つのトランスポートブロックのそれぞれに対する制限された変調およびコーディングスキームを検出することによって、前記ペイロードの一部における前記制約を照合することをさらに含む、請求項２１記載の方法。
【請求項２６】
第１のハイブリッド自動再送要求（ＨＡＲＱ）送信を示す再送信シーケンス番号を検出することによって、前記ペイロードの一部における前記制約を照合することをさらに含む、請求項２１記載の方法。
【請求項２７】
分散していないことを示す分散送信フラグと、予め規定された割合の帯域幅より少なく割り振られたリソース割振と、最も高い変調を使用しない、２つのトランスポートブロックのそれぞれに対する制限された変調およびコーディングスキームと、第１のハイブリッド自動再送要求（ＨＡＲＱ）送信を示す再送信シーケンス番号とを検出することによって、前記ペイロードの一部における前記制約を照合することをさらに含む、請求項２１記載の方法。
【請求項２８】
スケジューリング表示を受信する少なくとも１つのプロセッサにおいて、
制御チャネル上で、認可または割当を検出する第１のモジュールと、
有効な認可または割当を示す、前記制御チャネル上で搬送されるペイロードの一部における制約を、ペイロード有効性を決定するための条件として照合する第２のモジュールと、
前記ペイロードの一部における前記制約が照合されたという決定に応答して、前記制御チャネル上のペイロードにしたがって、送信または受信する第３のモジュールと
を具備するプロセッサ。
【請求項２９】
コンピュータ読取可能記憶媒体を具備する、スケジューリング表示を受信するためのコンピュータプログラム製品において、
前記コンピュータ読取可能記憶媒体は、
コンピュータに、制御チャネル上で、認可または割当を検出させるための第１の組のコードと、
前記コンピュータに、有効な認可または割当を示す、前記制御チャネル上で搬送されるペイロードの一部における制約を、ペイロード有効性を決定するための条件として照合させるための第２の組のコードと、
前記コンピュータに、前記ペイロードの一部における前記制約が照合されたという決定に応答して、前記制御チャネル上のペイロードにしたがって、送信または受信させるための第３の組のコードと
を備えるコンピュータプログラム製品。
【請求項３０】
スケジューリング表示を受信する装置において、
制御チャネル上で、認可または割当を検出する手段と、
有効な認可または割当を示す、前記制御チャネル上で搬送されるペイロードの一部における制約を、ペイロード有効性を決定するための条件として照合する手段と、
前記ペイロードの一部における前記制約が照合されたという決定に応答して、前記制御チャネル上のペイロードにしたがって、送信または受信する手段と
を具備する装置。
【請求項３１】
スケジューリング表示を受信する装置において、
制御チャネル上で、認可または割当を検出する受信機と、
有効な認可または割当を示す、前記制御チャネル上で搬送されるペイロードの一部における制約を、ペイロード有効性を決定するための条件として照合するコンピューティングプラットフォームと、
前記ペイロードの一部における前記制約が照合されたという決定に応答して、前記制御チャネル上のペイロードにしたがって、送信または受信する送信機または受信機と
を具備する装置。
【請求項３２】
巡回冗長検査が満足されている場合であっても、前記制約が満足されない場合、何のアクションもとらない前記コンピューティングプラットフォームをさらに備える、請求項３１記載の装置。
【請求項３３】
半永久的スケジューリング認可または割当を検出する受信機をさらに備える、請求項３１記載の装置。
【請求項３４】
アップリンク認可フラグと、予め規定された値にセットされた新しいデータインジケータと、予め規定された値にセットされた非周期的チャネル品質インジケータと、予め規定された割合の帯域幅より少なく割り振られたリソース割振と、最も高い変調を使用しない制限された変調およびコーディングスキームとを検出することによって、前記ペイロードの一部における前記制約を照合する前記コンピューティングプラットフォームをさらに備える、請求項３１記載の装置。
【請求項３５】
半永久的スケジューリングのためのコンパクトダウンリンク割当を検出する前記受信機をさらに備える、請求項３１記載の装置。
【請求項３６】
コンパクトダウンリンクＳＰＳのためのフォーマット表示と、分散送信フラグが分散されていないことを示していることと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とを検出することによって、前記ペイロードの一部における前記制約を照合する前記コンピューティングプラットフォームをさらに備える、請求項３１記載の装置。
【請求項３７】
単数入力複数出力（ＳＩＭＯ）半永久的スケジューリングのためのダウンリンク割当を検出する前記受信機をさらに備える、請求項３１記載の装置。
【請求項３８】
分散されていないことを示している分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とを検出することによって、前記ペイロードの一部における前記制約を照合する前記コンピューティングプラットフォームをさらに備える、請求項３７記載の装置。
【請求項３９】
複数入力複数出力（ＭＩＭＯ）半永久的スケジューリングのためのダウンリンク割当を検出する前記受信機をさらに備える、請求項３１記載の装置。
【請求項４０】
ＭＩＭＯ半永久的スケジューリングのための表示を検出することによって、前記ペイロードの一部の無効性を決定する前記コンピューティングプラットフォームをさらに備える、請求項３９記載の装置。
【請求項４１】
分散していないことを示す分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とを検出することによって、前記ペイロードの一部における前記制約を照合する前記コンピューティングプラットフォームをさらに備える、請求項３９記載の装置。
【請求項４２】
スケジューリング表示を送信するための方法において、
認可または割当を示すために制御チャネルペイロードをエンコードすることと、
有効な認可または割当を示す、前記制御チャネル上で搬送されるペイロードの一部に、ペイロード有効性を決定するための条件としての制約を課すことと、
前記制御チャネル上のペイロードを有する認可または割当を送信することと
を含む方法。
【請求項４３】
巡回冗長検査が満足されている場合に、何のアクションもとられることのないように、前記制約を課すことをさらに含む、請求項４２記載の方法。
【請求項４４】
前記認可または前記割当は、半永久的スケジューリングのためのものである、請求項４２記載の方法。
【請求項４５】
アップリンク認可フラグと、予め規定された値にセットされた新しいデータインジケータと、予め規定された値にセットされた非周期的チャネル品質インジケータと、予め規定された割合の帯域幅より少なく割り振られたリソース割振と、最も高い変調を使用しない制限された変調およびコーディングスキームとをセットすることによって、前記ペイロードの一部に前記制約を課すことをさらに含む、請求項４２記載の方法。
【請求項４６】
半永久的スケジューリングのために、コンパクトダウンリンク割当をセットすることをさらに含む、請求項４２記載の方法。
【請求項４７】
コンパクトダウンリンクＳＰＳのためのフォーマット表示と、分散されていないことを示している分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とをセットすることによって、前記ペイロードの一部に前記制約を課すことをさらに含む、請求項４２記載の方法。
【請求項４８】
単数入力複数出力（ＳＩＭＯ）半永久的スケジューリングのためのダウンリンク割当をセットすることをさらに含む、請求項４２記載の方法。
【請求項４９】
分散していないことを示す分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とをセットすることによって、前記ペイロードの一部に前記制約を課すことをさらに含む、請求項４８記載の方法。
【請求項５０】
複数入力複数出力（ＭＩＭＯ）半永久的スケジューリングのためのダウンリンク割当をセットすることをさらに含む、請求項４２記載の方法。
【請求項５１】
ＭＩＭＯ半永久的スケジューリングのための表示をセットすることによって、前記ペイロードの一部に前記制約を課すことをさらに含む、請求項５０記載の方法。
【請求項５２】
分散していないことを示す分散送信フラグと、予め規定された割合の帯域幅より少なく割り振られたリソース割振と、最も高い変調を使用しない、２つのトランスポートブロックのそれぞれに対する制限された変調およびコーディングスキームと、第１のハイブリッド自動再送要求（ＨＡＲＱ）送信を示す再送信シーケンス番号とをセットすることによって、前記ペイロードの一部に前記制約を課すことをさらに含む、請求項５０記載の方法。
【請求項５３】
スケジューリング表示を送信する少なくとも１つのプロセッサにおいて、
認可または割当を示すために制御チャネルペイロードをエンコードする第１のモジュールと、
有効な認可または割当を示す、前記制御チャネル上で搬送されるペイロードの一部に、ペイロード有効性を決定するための条件としての制約を課す第２のモジュールと、
前記制御チャネル上のペイロードを有する認可または割当を送信する第３のモジュールと
を具備するプロセッサ。
【請求項５４】
コンピュータ読取可能記憶媒体を具備する、スケジューリング表示を送信するためのコンピュータプログラム製品において、
コンピュータに、認可または割当を示すために制御チャネルペイロードをエンコードさせるための第１の組のコードと、
前記コンピュータに、有効な認可または割当を示す前記制御チャネル上で搬送されるペイロードの一部に、ペイロード有効性を決定するための条件としての制約を課させるための第２の組のコードと、
前記コンピュータに、前記制御チャネル上のペイロードを有する認可または割当を送信させるための第３の組のコードと
を含むコンピュータプログラム製品。
【請求項５５】
スケジューリング表示を送信する装置において、
認可または割当を示すために制御チャネルペイロードをエンコードする手段と、
有効な認可または割当を示す前記制御チャネル上で搬送されるペイロードの一部に、ペイロード有効性を決定するための条件としての制約を課す手段と、
前記制御チャネル上のペイロードを有する認可または割当を送信する手段と
を具備する装置。
【請求項５６】
スケジューリング表示を送信する装置において、
認可または割当を示すために制御チャネルペイロードをエンコードするコンピューティングプラットフォームと、
有効な認可または割当を示す前記制御チャネル上で搬送されるペイロードの一部に、ペイロード有効性を決定するための条件としての制約を課す前記コンピューティングプラットフォームと、
前記制御チャネル上のペイロードを有する認可または割当を送信する送信機と
を具備する装置。
【請求項５７】
巡回冗長検査が満足されている場合に、何のアクションもとられることのないように、前記制約を課す前記コンピューティングプラットフォームをさらに備える、請求項５６記載の装置。
【請求項５８】
前記認可または前記割当は、半永久的スケジューリングのためのものである、請求項５６記載の装置。
【請求項５９】
アップリンク認可フラグと、予め規定された値にセットされた新しいデータインジケータと、予め規定された値にセットされた非周期的チャネル品質インジケータと、予め規定された割合の帯域幅より少なく割り振られたリソース割振と、最も高い変調を使用しない制限された変調およびコーディングスキームとをセットすることによって、前記ペイロードの一部に前記制約を課す前記コンピューティングプラットフォームをさらに備える、請求項５６記載の装置。
【請求項６０】
半永久的スケジューリングのために、コンパクトダウンリンク割当をセットする前記コンピューティングプラットフォームをさらに備える、請求項５６記載の装置。
【請求項６１】
コンパクトダウンリンクＳＰＳのためのフォーマット表示と、分散されていないことを示している分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とをセットすることによって、前記ペイロードの一部に前記制約を課す前記コンピューティングプラットフォームをさらに備える、請求項５６記載の装置。
【請求項６２】
単数入力複数出力（ＳＩＭＯ）半永久的スケジューリングのためのダウンリンク割当をセットする前記コンピューティングプラットフォームをさらに備える、請求項５６記載の装置。
【請求項６３】
分散していないことを示す分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とをセットすることによって、前記ペイロードの一部に前記制約を課す前記コンピューティングプラットフォームをさらに備える、請求項６２記載の装置。
【請求項６４】
複数入力複数出力（ＭＩＭＯ）半永久的スケジューリングのためのダウンリンク割当をセットする前記コンピューティングプラットフォームをさらに備える、請求項５６記載の装置。
【請求項６５】
ＭＩＭＯ半永久的スケジューリングのための表示をセットすることによって、前記ペイロードの一部に前記制約を課す前記コンピューティングプラットフォームをさらに備える、請求項６４記載の装置。
【請求項６６】
分散していないことを示す分散送信フラグと、予め規定された割合の帯域幅より少なく割り振られたリソース割振と、最も高い変調を使用しない、２つのトランスポートブロックのそれぞれに対する制限された変調およびコーディングスキームと、第１のハイブリッド自動再送要求（ＨＡＲＱ）送信を示す再送信シーケンス番号とをセットすることによって、前記ペイロードの一部に前記制約を課す前記コンピューティングプラットフォームをさらに備える、請求項６４記載の装置。
【手続補正２】
【補正対象書類名】明細書
【補正対象項目名】００８６
【補正方法】変更
【補正の内容】
【００８６】
ここで参照によって組み込まれるとされた、任意の特許、出版物、または、他の開示された素材の全体または一部において、組み込まれる素材は、本開示中に述べられた、既存の定義、記述、または、他の開示された素材とコンフリクトしない範囲においてのみ、組み込まれることを理解すべきである。このように、および、必要な範囲において、ここで明示的に記述した開示は、ここで参照によって組み込まれた、任意のコンフリクトする素材を上書きする。ここで参照によって組み込まれているとされるが、既存の定義、記述、または、他の開示された素材とコンフリクトする、何らかの素材、または、これらの一部は、その組み込まれた素材と、既存の開示された素材との間で、何のコンフリクトも発生しない範囲においてのみ、組み込まれることになるだろう。  
以下に、本願出願の当初の特許請求の範囲に記載された発明を付記する。
［１］スケジューリング表示を受信するための方法において、
制御チャネル上で、認可または割当を検出することと、
有効な認可または割当を示す、前記制御チャネル上で搬送されるペイロードの一部における制約を、ペイロード有効性を決定するための条件として照合することと、
前記ペイロードの一部における前記制約が照合されたという決定に応答して、前記制御チャネル上のペイロードにしたがって、送信または受信することと
を含む方法。
［２］巡回冗長検査が満足されている場合であっても、前記制約が満足されない場合、何のアクションもとらないことをさらに含む、上記［１］の方法。
［３］前記認可または前記割当は、半永久的スケジューリングのためのものである、上記［１］の方法。
［４］アップリンク認可フラグと、予め規定された値にセットされた新しいデータインジケータと、予め規定された値にセットされた非周期的チャネル品質インジケータと、予め規定された割合の帯域幅より少なく割り振られたリソース割振と、最も高い変調を使用しない制限された変調およびコーディングスキームとを検出することによって、前記ペイロードの一部における前記制約を照合することをさらに含む、上記［１］の方法。
［５］アップリンク認可フラグを検出することによって、前記ペイロードの一部における前記制約を照合することをさらに含む、上記［１］の方法。
［６］予め規定された値にセットされた新しいデータインジケータを検出することによって、前記ペイロードの一部における前記制約を照合することをさらに含む、上記［１］の方法。
［７］予め規定された値にセットされた非周期的チャネル品質インジケータを検出することによって、前記ペイロードの一部における前記制約を照合することをさらに含む、上記［１］の方法。
［８］予め規定された割合の帯域幅より少なく割り振られたリソース割振を検出することによって、前記ペイロードの一部における前記制約を照合することをさらに含む、上記［１］の方法。
［９］最も高い変調を使用しない制限された変調およびコーディングスキームを検出することによって、前記ペイロードの一部における前記制約を照合することをさらに含む、上記［１］の方法。
［１０］半永久的スケジューリングのためのコンパクトダウンリンク割当を検出することをさらに含む、上記［１］の方法。
［１１］分散送信フラグが表示されないようにセットされていることを検出することによって、前記ペイロードの一部における前記制約を照合することをさらに含む、上記［１０］の方法。
［１２］予め規定された割合の帯域幅より少なく割り振られたリソース割振を検出することによって、前記ペイロードの一部における前記制約を照合することをさらに含む、上記［１０］の方法。
［１３］最も高い変調を使用しない制限された変調およびコーディングスキームを検出することによって、前記ペイロードの一部における前記制約を照合することをさらに含む、上記［１０］の方法。
［１４］第１のハイブリッド自動再送要求（ＨＡＲＱ）送信を示す再送信シーケンス番号を検出することによって、前記ペイロードの一部における前記制約を照合することをさらに含む、上記［１０］の方法。
［１５］分散送信フラグが表示されないようにセットされていることと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とを検出することによって、前記ペイロードの一部における前記制約を照合することをさらに含む、上記［１０］の方法。
［１６］単数入力複数出力（ＳＩＭＯ）半永久的スケジューリングのためのダウンリンク割当を検出することをさらに含む、上記［１］の方法。
［１７］分散されていないことを示している分散送信フラグを検出することによって、前記ペイロードの一部における前記制約を照合することをさらに含む、上記［１６］の方法。
［１８］予め規定された割合の帯域幅より少なく割り振られたリソース割振を検出することによって、前記ペイロードの一部における前記制約を照合することをさらに含む、上記［１６］の方法。
［１９］最も高い変調を使用しない制限された変調およびコーディングスキームを検出することによって、前記ペイロードの一部における前記制約を照合することをさらに含む、上記［１６］の方法。
［２０］第１のハイブリッド自動再送要求（ＨＡＲＱ）送信を示す再送信シーケンス番号を検出することによって、前記ペイロードの一部における前記制約を照合することをさらに含む、上記［１６］の方法。
［２１］分散されていないことを示している分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とを検出することによって、前記ペイロードの一部における前記制約を照合することをさらに含む、上記［１６］の方法。
［２２］ＭＩＭＯ半永久的スケジューリングのための表示を検出することによって、前記ペイロードの一部における有効性を決定することをさらに含む、上記［２１］の方法。
［２３］分散されていないことを示している分散送信フラグを検出することによって、前記ペイロードの一部における前記制約を照合することをさらに含む、上記［２１］の方法。
［２４］予め規定された割合の帯域幅より少なく割り振られたリソース割振を検出することによって、前記ペイロードの一部における前記制約を照合することをさらに含む、上記［２１］の方法。
［２５］最も高い変調を使用しない、２つのトランスポートブロックのそれぞれに対する制限された変調およびコーディングスキームを検出することによって、前記ペイロードの一部における前記制約を照合することをさらに含む、上記［２１］の方法。
［２６］第１のハイブリッド自動再送要求（ＨＡＲＱ）送信を示す再送信シーケンス番号を検出することによって、前記ペイロードの一部における前記制約を照合することをさらに含む、上記［２１］の方法。
［２７］分散していないことを示す分散送信フラグと、予め規定された割合の帯域幅より少なく割り振られたリソース割振と、最も高い変調を使用しない、２つのトランスポートブロックのそれぞれに対する制限された変調およびコーディングスキームと、第１のハイブリッド自動再送要求（ＨＡＲＱ）送信を示す再送信シーケンス番号とを検出することによって、前記ペイロードの一部における前記制約を照合することをさらに含む、上記［２１］の方法。
［２８］スケジューリング表示を受信する少なくとも１つのプロセッサにおいて、
制御チャネル上で、認可または割当を検出する第１のモジュールと、
有効な認可または割当を示す、前記制御チャネル上で搬送されるペイロードの一部における制約を、ペイロード有効性を決定するための条件として照合する第２のモジュールと、
前記ペイロードの一部における前記制約が照合されたという決定に応答して、前記制御チャネル上のペイロードにしたがって、送信または受信する第３のモジュールと
を具備するプロセッサ。
［２９］コンピュータ読取可能記憶媒体を具備する、スケジューリング表示を受信するためのコンピュータプログラム製品において、
前記コンピュータ読取可能記憶媒体は、
コンピュータに、制御チャネル上で、認可または割当を検出させるための第１の組のコードと、
前記コンピュータに、有効な認可または割当を示す、前記制御チャネル上で搬送されるペイロードの一部における制約を、ペイロード有効性を決定するための条件として照合させるための第２の組のコードと、
前記コンピュータに、前記ペイロードの一部における前記制約が照合されたという決定に応答して、前記制御チャネル上のペイロードにしたがって、送信または受信させるための第３の組のコードと
を備えるコンピュータプログラム製品。
［３０］スケジューリング表示を受信する装置において、
制御チャネル上で、認可または割当を検出する手段と、
有効な認可または割当を示す、前記制御チャネル上で搬送されるペイロードの一部における制約を、ペイロード有効性を決定するための条件として照合する手段と、
前記ペイロードの一部における前記制約が照合されたという決定に応答して、前記制御チャネル上のペイロードにしたがって、送信または受信する手段と
を具備する装置。
［３１］スケジューリング表示を受信する装置において、
制御チャネル上で、認可または割当を検出する受信機と、
有効な認可または割当を示す、前記制御チャネル上で搬送されるペイロードの一部における制約を、ペイロード有効性を決定するための条件として照合するコンピューティングプラットフォームと、
前記ペイロードの一部における前記制約が照合されたという決定に応答して、前記制御チャネル上のペイロードにしたがって、送信または受信する送信機または受信機と
を具備する装置。
［３２］巡回冗長検査が満足されている場合であっても、前記制約が満足されない場合、何のアクションもとらない前記コンピューティングプラットフォームをさらに備える、上記［３１］の装置。
［３３］半永久的スケジューリング認可または割当を検出する受信機をさらに備える、上記［３１］の装置。
［３４］アップリンク認可フラグと、予め規定された値にセットされた新しいデータインジケータと、予め規定された値にセットされた非周期的チャネル品質インジケータと、予め規定された割合の帯域幅より少なく割り振られたリソース割振と、最も高い変調を使用しない制限された変調およびコーディングスキームとを検出することによって、前記ペイロードの一部における前記制約を照合する前記コンピューティングプラットフォームをさらに備える、上記［３１］の装置。
［３５］半永久的スケジューリングのためのコンパクトダウンリンク割当を検出する前記受信機をさらに備える、上記［３１］の装置。
［３６］コンパクトダウンリンクＳＰＳのためのフォーマット表示と、分散送信フラグが表示されないようにセットされていることと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とを検出することによって、前記ペイロードの一部における前記制約を照合する前記コンピューティングプラットフォームをさらに備える、上記［３１］の装置。
［３７］単数入力複数出力（ＳＩＭＯ）半永久的スケジューリングのためのダウンリンク割当を検出する前記受信機をさらに備える、上記［３１］の装置。
［３８］分散されていないことを示している分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とを検出することによって、前記ペイロードの一部における前記制約を照合する前記コンピューティングプラットフォームをさらに備える、上記［３７］の装置。
［３９］複数入力複数出力（ＭＩＭＯ）半永久的スケジューリングのためのダウンリンク割当を検出する前記受信機をさらに備える、上記［３１］の装置。
［４０］ＭＩＭＯ半永久的スケジューリングのための表示を検出することによって、前記ペイロードの一部の無効性を決定する前記コンピューティングプラットフォームをさらに備える、上記［３９］の装置。
［４１］分散していないことを示す分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とを検出することによって、前記ペイロードの一部における前記制約を照合する前記コンピューティングプラットフォームをさらに備える、上記［３９］の装置。
［４２］スケジューリング表示を送信するための方法において、
認可または割当を示すために制御チャネルペイロードをエンコードすることと、
有効な認可または割当を示す、前記制御チャネル上で搬送されるペイロードの一部に、ペイロード有効性を決定するための条件としての制約を課すことと、
前記制御チャネル上のペイロードを有する認可または割当を送信することと
を含む方法。
［４３］巡回冗長検査が満足されている場合に、何のアクションもとられることのないように、前記制約を課すことをさらに含む、上記［４２］の方法。
［４４］前記認可または前記割当は、半永久的スケジューリングのためのものである、上記［４２］の方法。
［４５］アップリンク認可フラグと、予め規定された値にセットされた新しいデータインジケータと、予め規定された値にセットされた非周期的チャネル品質インジケータと、予め規定された割合の帯域幅より少なく割り振られたリソース割振と、最も高い変調を使用しない制限された変調およびコーディングスキームとをセットすることによって、前記ペイロードの一部に前記制約を課すことをさらに含む、上記［４２］の方法。
［４６］半永久的スケジューリングのために、コンパクトダウンリンク割当をセットすることをさらに含む、上記［４２］の方法。
［４７］コンパクトダウンリンクＳＰＳのためのフォーマット表示と、表示されないようにセットされている分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とをセットすることによって、前記ペイロードの一部に前記制約を課すことをさらに含む、上記［４２］の方法。
［４８］単数入力複数出力（ＳＩＭＯ）半永久的スケジューリングのためのダウンリンク割当をセットすることをさらに含む、上記［４２］の方法。
［４９］分散していないことを示す分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とをセットすることによって、前記ペイロードの一部に前記制約を課すことをさらに含む、上記［４８］の方法。
［５０］複数入力複数出力（ＭＩＭＯ）半永久的スケジューリングのためのダウンリンク割当をセットすることをさらに含む、上記［４２］の方法。
［５１］ＭＩＭＯ半永久的スケジューリングのための表示をセットすることによって、前記ペイロードの一部に前記制約を課すことをさらに含む、上記［５０］の方法。
［５２］分散していないことを示す分散送信フラグと、予め規定された割合の帯域幅より少なく割り振られたリソース割振と、最も高い変調を使用しない、２つのトランスポートブロックのそれぞれに対する制限された変調およびコーディングスキームと、第１のハイブリッド自動再送要求（ＨＡＲＱ）送信を示す再送信シーケンス番号とをセットすることによって、前記ペイロードの一部に前記制約を課すことをさらに含む、上記［５０］の方法。
［５３］スケジューリング表示を送信する少なくとも１つのプロセッサにおいて、
認可または割当を示すために制御チャネルペイロードをエンコードする第１のモジュールと、
有効な認可または割当を示す、前記制御チャネル上で搬送されるペイロードの一部に、ペイロード有効性を決定するための条件としての制約を課す第２のモジュールと、
前記制御チャネル上のペイロードを有する認可または割当を送信する第３のモジュールと
を具備するプロセッサ。
［５４］コンピュータ読取可能記憶媒体を具備する、スケジューリング表示を送信するためのコンピュータプログラム製品において、
コンピュータに、認可または割当を示すために制御チャネルペイロードをエンコードさせるための第１の組のコードと、
前記コンピュータに、有効な認可または割当を示す前記制御チャネル上で搬送されるペイロードの一部に、ペイロード有効性を決定するための条件としての制約を課させるための第２の組のコードと、
前記コンピュータに、前記制御チャネル上のペイロードを有する認可または割当を送信させるための第３の組のコードと
を含むコンピュータプログラム製品。
［５５］スケジューリング表示を送信する装置において、
認可または割当を示すために制御チャネルペイロードをエンコードする手段と、
有効な認可または割当を示す前記制御チャネル上で搬送されるペイロードの一部に、ペイロード有効性を決定するための条件としての制約を課す手段と、
前記制御チャネル上のペイロードを有する認可または割当を送信する手段と
を具備する装置。
［５６］スケジューリング表示を送信する装置において、
認可または割当を示すために制御チャネルペイロードをエンコードするコンピューティングプラットフォームと、
有効な認可または割当を示す前記制御チャネル上で搬送されるペイロードの一部に、ペイロード有効性を決定するための条件としての制約を課す前記コンピューティングプラットフォームと、
前記制御チャネル上のペイロードを有する認可または割当を送信する送信機と
を具備する装置。
［５７］巡回冗長検査が満足されている場合に、何のアクションもとられることのないように、前記制約を課す前記コンピューティングプラットフォームをさらに備える、上記［５６］の装置。
［５８］前記認可または前記割当は、半永久的スケジューリングのためのものである、上記［５６］の装置。
［５９］アップリンク認可フラグと、予め規定された値にセットされた新しいデータインジケータと、予め規定された値にセットされた非周期的チャネル品質インジケータと、予め規定された割合の帯域幅より少なく割り振られたリソース割振と、最も高い変調を使用しない制限された変調およびコーディングスキームとをセットすることによって、前記ペイロードの一部に前記制約を課す前記コンピューティングプラットフォームをさらに備える、上記［５６］の装置。
［６０］半永久的スケジューリングのために、コンパクトダウンリンク割当をセットする前記コンピューティングプラットフォームをさらに備える、上記［５６］の装置。
［６１］コンパクトダウンリンクＳＰＳのためのフォーマット表示と、表示されないようにセットされている分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とをセットすることによって、前記ペイロードの一部に前記制約を課す前記コンピューティングプラットフォームをさらに備える、上記［５６］の装置。
［６２］単数入力複数出力（ＳＩＭＯ）半永久的スケジューリングのためのダウンリンク割当をセットする前記コンピューティングプラットフォームをさらに備える、上記［５６］の装置。
［６３］分散していないことを示す分散送信フラグと、予め規定された割合の帯域幅より少なく割り振られたリソース割振と、最も高い変調を使用しない制限された変調およびコーディングスキームと、第１のハイブリッド自動再送要求（ＨＡＲＱ）送信を示す再送信シーケンス番号とをセットすることによって、前記ペイロードの一部に前記制約を課す前記コンピューティングプラットフォームをさらに備える、上記［６２］の装置。
［６４］複数入力複数出力（ＭＩＭＯ）半永久的スケジューリングのためのダウンリンク割当をセットする前記コンピューティングプラットフォームをさらに備える、上記［５６］の装置。
［６５］ＭＩＭＯ半永久的スケジューリングのための表示をセットすることによって、前記ペイロードの一部に前記制約を課す前記コンピューティングプラットフォームをさらに備える、上記［６４］の装置。
［６６］分散していないことを示す分散送信フラグと、予め規定された割合の帯域幅より少なく割り振られたリソース割振と、最も高い変調を使用しない、２つのトランスポートブロックのそれぞれに対する制限された変調およびコーディングスキームと、第１のハイブリッド自動再送要求（ＨＡＲＱ）送信を示す再送信シーケンス番号とをセットすることによって、前記ペイロードの一部に前記制約を課す前記コンピューティングプラットフォームをさらに備える、上記［６４］の装置。
【国際調査報告】
2011515959.tif 000021
2011515959.tif 000022
2011515959.tif 000023